(57)【要約】【課題】遊技盤の後方への不正アクセスを防止することができる遊技機を提供すること。【解決手段】この遊技機は、遊技盤の後面の少なくとも一部を覆う閉鎖位置と、開放する開放位置と、の間を移動する開閉部材（下部ユニット）と、閉鎖位置の開閉部材の移動を規制するロック部材と、ロック位置のロック部材の移動を規制する規制部材と、を備え、規制部材は、外力が加えられることにより非規制状態に変形し、外力を除去されることにより非規制状態から規制状態に戻る。【選択図】図１
2011245106.tif 000002
【特許請求の範囲】
【請求項１】
遊技盤を保持する遊技機枠と、
該遊技機枠に対して揺動開閉され、該遊技機枠に保持された該遊技盤の後面の少なくとも一部を覆う閉鎖位置と、該後面を開放する開放位置と、の間を移動する開閉部材と、
該閉鎖位置の該開閉部材の移動を規制するロック位置と、該移動を規制しない非ロック位置と、の間を移動するロック部材と、
該ロック位置の該ロック部材の移動を規制する規制状態と、該移動を規制しない非規制状態と、を実現する規制部材と、を備える遊技機であって、
該規制部材は、外力が加えられることにより該非規制状態に変形し、かつ該外力が除去されることにより該非規制状態から該規制状態に戻るように構成されている、遊技機。
【発明の詳細な説明】
【技術分野】
【０００１】
本発明は、遊技盤の後面を開閉する開閉部材の移動を規制するロック部材を備える遊技機に関する。
【背景技術】
【０００２】
パチンコ機等の遊技機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技球は、遊技領域上に配置された各種入賞口（入球口）に入賞したり、入賞せずにアウト口に導かれたりする。
【０００３】
各種入賞口には、遊技球の通過を検出する球通過検出手段が設けられており、この球通過検出手段による遊技球の検出を契機として所定の賞球払出しがなされる。また、球通過検出手段によって検出された遊技球は、遊技盤の背面に設けられた球通路に導かれ、球通路を通過した後に遊技機の下方に集められて、遊技済球として遊技機外に排出される。
【０００４】
球通路は、遊技機の下方に遊技球を排出するため、その球出口は開放されており、近年、球出口から球通路内に不正具が挿入される不正行為が行われている。この不正行為は、球出口から球通路内に不正具等を挿入し、球通路内の遊技球を逆流させて球通過検出手段を通過した遊技球を再度球通過検出手段によって検出させたり、不正具によって球通過検出手段を誤作動させたりして、不正に賞球の払出しをさせることにより行われる。このような不正行為がなされると、公平な遊技を実現できなくなる。
【０００５】
このような問題に鑑みて特許文献１には、入賞球を検出する検出孔を有する入賞球検出スイッチを誤作動させて賞球を不正に獲得するという不正行為を抑制するパチンコ機が記載されている。このパチンコ機は、入賞球検出スイッチの検出孔の下側に、検出孔への外部からの異物（不正具）の侵入を防止するための蓋部材を備えている。蓋部材は、定常時は付勢手段によって閉状態に保たれ、入賞時は落下してくる入賞球の重さによって開いて入賞球を通過させ、入賞球の通過後は付勢手段によって閉状態に戻るように構成されている。
【０００６】
このパチンコ機は、パチンコ機前面の下受け皿から針金等の異物が差し込まれ入賞球検出スイッチを誤作動させようとしても、閉状態にある蓋部材が検出孔への異物の侵入を邪魔するように構成されている。
【先行技術文献】
【特許文献】
【０００７】
【特許文献１】特開２００１−１４５７５６号公報
【発明の概要】
【発明が解決しようとする課題】
【０００８】
また、遊技球が入球する入球装置は、遊技盤を前後方向に貫通して装着されており、遊技盤の前面に設けられた遊技領域を流下する遊技球を流入させ、流入した遊技球を遊技盤の後方に導くように構成されている。遊技盤の後方から入球装置にアクセスされることにより、入賞球検出スイッチを誤作動させて賞球を不正に獲得するという不正行為が行われる可能性がある。したがって、不正行為を防ぐために遊技盤の後方を開放し難くする必要がある。
【０００９】
遊技盤の後方には、遊技を制御する各種制御手段を収容する制御基板ケースや各種遊技部品が装着されている。制御基板ケースは、遊技盤を内包する遊技機枠に固定されており、通常の遊技中は遊技盤の後方を覆うように配置されている。しかし、制御基板の検査等メンテナンスを実施する際は、制御基板ケース等を外して遊技盤の後方を開放する必要がある。したがって、遊技盤の後方に装着された制御基板ケース等の遊技部品は、取り外し可能に構成されていたり、開閉可能に構成されていたりする。
【００１０】
このとき、遊技盤の後方に装着された遊技部品が容易に取り外されたり、開放されたりするように構成されていると、不正具によって遊技盤の後方を覆う遊技部品を外されてしまい、遊技盤の後面に容易にアクセスされてしまうおそれがある。
【００１１】
本発明は、上記の事情に鑑みて為されたもので、遊技盤の後方を開閉可能に構成された開閉部材を有する遊技機において、開閉部材の開閉移動を規制し、遊技盤の後方への不正アクセスを防止することができる遊技機を提供することを例示的課題とする。
【課題を解決するための手段】
【００１２】
本発明の例示的な側面としての遊技機は、遊技盤を保持する遊技機枠と、遊技機枠に対して揺動開閉され、遊技機枠に保持された遊技盤の後面の少なくとも一部を覆う閉鎖位置と、後面を開放する開放位置と、の間を移動する開閉部材と、閉鎖位置の開閉部材の移動を規制するロック位置と、規制を解除した非ロック位置と、の間を移動するロック部材と、ロック位置のロック部材の移動を規制する規制部材と、を備える遊技機であって、規制部材は、外力が加えられることにより非規制状態に変形し、かつ外力が除去されることにより非規制状態から規制状態に戻るように構成されている。
【００１３】
開閉部材は、遊技機枠に対して揺動開閉するように構成されており、遊技機枠に装着された遊技盤の後面の少なくとも一部を覆う閉鎖位置と、遊技盤の後方を開放した開放位置と、の間を移動する。ロック部材は、開閉部材が遊技盤の後面を覆う閉鎖位置において開閉部材の移動を規制するロック位置と、移動を規制しない（規制を解除した）非ロック位置と、の間を移動する。したがって、ロック部材によって開閉部材が閉鎖位置から開放位置へ移動することを規制して、不正に遊技盤の後方が開放されることを防止することができる。
【００１４】
また、規制部材は、外力が加えられることによりロック位置のロック部材の移動を規制しない非規制状態に変形し、かつ外力を除去されることにより非規制状態から規制状態に戻るように構成されており、ロック位置のロック部材の移動を規制する規制状態と、移動を規制しない非規制状態と、を実現する。したがって、規制部材によってロック位置から非ロック位置へのロック部材の移動を規制して、ロック部材による開閉部材の移動規制を維持することができる。
【００１５】
このようにロック部材と規制部材とが設けられているため、開閉部材を開放位置とするためには、まず、規制部材に対して外力を付加して、規制部材によるロック部材に対する移動規制を解除する。次いで、規制部材による移動規制を解除した状態で、ロック部材をロック位置から非ロック位置に移動して、ロック部材による開閉部材の移動規制を解除する。そして、開閉部材を閉鎖位置から開放位置に移動することができる。
【００１６】
すなわち、規制部材によるロック部材の移動規制と、ロック部材による開閉部材の移動規制と、を解除しなければ開閉部材を閉鎖位置から開放位置に移動することができないため、遊技盤の後面に対する不正アクセスをし難くすることができる。また、規制部材を一旦非規制状態に変形させても、外力を除去すると元の規制状態に戻るように構成されているため、規制部材に対して外力を加えた状態でロック部材を操作しなければ開閉部材を開放位置に移動することができない。
【００１７】
規制部材の外力の付加とは、例えば、手指等による押圧である。手指等で押圧することにより規制部材を変形させると、開閉部材の移動操作を片手で操作することは困難であり、両手で開閉部材の移動操作を行う必要がある。すなわち、単なるスライド移動等、単純な操作のみでは開閉部材の移動規制を解除できず、不正なアクセスを効果的に防止することができる。具体的には、遊技機枠に対して不正具が挿入され、規制部材の規制が解除された場合であっても、規制部材の規制を解除した状態でロック部材を移動することができないため、不正具による遊技盤の後面への不正アクセスを防止することができる。
【００１８】
このように、不正具等による開閉部材の開閉操作を難しくすることにより、遊技盤の後面へのアクセスを防止して、入賞球検出スイッチを誤作動させて賞球を不正に獲得するという不正行為を防止することができる。
【００１９】
なお、規制部材の変形方向と、ロック部材の移動方向と、を異ならせることにより、不正具等による操作を更にし難くすることができ、効果的に不正行為を防止して、セキュリティー性を高めることができる。
【００２０】
また、ロック部材は、開閉部材と別個に設けられ、開閉部材と係合するように構成されていてもよいし、開閉部材と一体化して設けられ、遊技機枠と係合することによって開閉部材の移動を規制するように構成されていてもよい。
【００２１】
本発明の更なる目的又はその他の特徴は、以下添付図面を参照して説明される好ましい実施の形態によって明らかにされるであろう。
【発明の効果】
【００２２】
本発明によれば、ロック部材と規制部材とが設けられているため、規制部材によるロック部材の移動規制と、ロック部材による開閉部材の移動規制と、を解除しなければ開閉部材を閉鎖位置から開放位置に移動することができないため、遊技盤の後面に対するアクセスをし難くすることができる。
【００２３】
また、規制部材を一旦非規制状態に変形させても、外力を除去すると元の規制状態に戻るように構成されているため、規制部材に対して外力を付加した状態でロック部材を操作しなければ開閉部材を開放位置に移動することができない。すなわち、単なるスライド移動等単純な操作のみでは開閉部材の移動規制を解除できず、不正なアクセスを効果的に防止することができる。したがって、遊技盤の後面への不正アクセスを防止して、入賞球検出スイッチを誤作動させて賞球を獲得するという不正行為を防止することができる。
【００２４】
また、規制状態においてロック部材がロック位置から非ロック位置に向かって移動することによって、規制部材が規制状態から非規制状態に向かう方向と反対方向に移動するよう構成することにより、規制状態においてロック部材が非ロック位置に向かって移動した場合において、規制部材を更に非規制状態から遠ざけることができ、不正行為を起因として規制部材によるロック部材の移動規制が解除されることを防ぐことができる。
【図面の簡単な説明】
【００２５】
【図１】パチンコ機の正面図である。
【図２】パチンコ機の分解斜視図である。
【図３】パチンコ機の外枠部分の外観斜視図であって、左斜め上方から見た図である。
【図４】外枠の上辺部と左辺部との接続部近傍を拡大した図である。
【図５】外枠の上側ヒンジ近傍を拡大した図である。
【図６】外枠の下側ヒンジ近傍を拡大した図である。
【図７】外枠の前枠ガイド近傍を拡大した図である。
【図８】前枠における突状ガイド近傍を拡大した図である。
【図９】外枠を背面側から見て幕板ユニットの近傍を拡大した背面図である。
【図１０】図９におけるＩ−Ｉ矢視の断面図である。
【図１１】パチンコ機における前枠の正面図である。
【図１２】前枠が有する下側の取付バネ板近傍を拡大した図である。
【図１３】前枠が有する上側の取付バネ板近傍を拡大した図である。
【図１４】前枠のガラス枠開閉センサ近傍を拡大した図である。
【図１５】ガラス枠側に配置された検出片近傍を拡大した図である。
【図１６】前枠の前枠開閉センサ近傍を拡大した図である。
【図１７】外枠側に配置された検出片近傍を拡大した図である。
【図１８】前枠の背面図である。
【図１９】前枠の上側ハーネス孔近傍を拡大した図である。
【図２０】前枠の下側ハーネス孔近傍を拡大した図である。
【図２１】前枠の前面側に形成された凹設空間近傍を拡大した図である。
【図２２】前枠におけるファール球回収口近傍を拡大した図である。
【図２３】球皿の開放状態における前枠の上球皿シャッター部材近傍を拡大した図である。
【図２４】前枠の上球皿シャッター部材近傍を更に拡大した図であって、（ａ）は上球皿シャッター部材の起立状態、（ｂ）は上球皿シャッター部材の傾倒状態である。
【図２５】パチンコ機の遊技球通路構成を説明するための前枠と裏セットとの分解斜視図である。
【図２６】満杯通路を説明するための裏セットの平面Ｐにおける縦断面図であって前方から後方に向けて見た図である。
【図２７】満杯通路を説明するための裏セットの平面Ｐにおける縦断面図であって後方から前方に向けて見た図である。
【図２８】前枠の背面における下球皿側の通路出口近傍を拡大した図である。
【図２９】裏セットにおける満杯通路開口近傍を拡大した図である。
【図３０】パチンコ機のガラス枠の正面図である。
【図３１】ガラス枠の背面図である。
【図３２】ガラス枠を左斜め上方から斜視して左側上部近傍を拡大した図である。
【図３３】前枠の前枠上側ヒンジ近傍を拡大した図である。
【図３４】ガラス枠の背面側における突出軸近傍を拡大した図である。
【図３５】前枠の中間ヒンジ近傍を拡大した図である。
【図３６】ガラス枠の分解斜視図である。
【図３７】ガラス枠の右演出ユニットの概略構造を示す斜視図である。
【図３８】右演出ユニットの右装飾体可動ユニットの構造図（装飾部材が開いた状態）である。
【図３９】右演出ユニットの右装飾体可動ユニットの構造図（装飾部材が閉じた状態）である。
【図４０】ガラス枠の左演出ユニットの概略構造を示す斜視図である。
【図４１】左演出ユニットの左装飾体可動ユニットの構造図（装飾部材が開いた状態）である。
【図４２】左演出ユニットの左装飾体可動ユニットの構造図（装飾部材が閉じた状態）である。
【図４３】ガラス枠の上演出ユニット近傍の要部を分解した図である。
【図４４】上演出ユニットの回転装飾部材部分の正面図である。
【図４５】ガラス枠の裏面側を右斜め上方から斜視した図である。
【図４６】ガラス枠の背面側におけるスピーカ取付部分近傍を拡大して背面側から見た図である。
【図４７】ガラス枠の下面近傍の裏面側を拡大した図である。
【図４８】球皿の上面近傍の前面側を拡大した図である。
【図４９】球皿の正面図である。
【図５０】球皿の外観斜視図である。
【図５１】球皿における操作ボタンユニットの分解図である。
【図５２】操作ボタンユニットを下方から見た底面図である。
【図５３】ＣＲ操作ボタン近傍を拡大した図である。
【図５４】球皿を上方から見た平面図である。
【図５５】球皿の下球皿を上方から見た平面図である。
【図５６】球皿の斜視図である。
【図５７】球皿の斜視図であって、（ａ）は、上球皿の流路カバーを閉鎖した状態、（ｂ）は、流路カバーを開放した状態である。
【図５８】前枠における発射ユニット近傍を拡大した図であって、（ａ）は、発射機カバーを装着した状態、（ｂ）は、発射機カバーを外した状態である。
【図５９】球皿の右端近傍に配置された発射装置ハンドルを拡大した図である。
【図６０】発射装置ハンドルの分解図である。
【図６１】発射装置ハンドル内の回転角度センサ近傍を拡大した図である。
【図６２】横軸を回転角度、縦軸を遊技球の発射強度として、両者の関係を示したグラフである。
【図６３】裏セットの上部に配置された球タンク近傍を拡大した図である。
【図６４】（ａ）は、容量調整部材５１ａの背面図、（ｂ）は、容量調整部材５１ａの側面図である。
【図６５】裏セットの上部に配置された球タンクレール近傍を拡大した図（通常使用状態）である。
【図６６】裏セットの上部に配置された球タンクレール近傍を拡大した図（メンテナンス状態）である。
【図６７】上流側整列部材の外観斜視図である。
【図６８】裏セットを背面側から見た図である。
【図６９】裏セットから賞球払出ユニットを取り外した状態の図である。
【図７０】上部通路ユニット及び賞球払出ユニットにおける球通路を示す図である。
【図７１】賞球払出ユニットのモータ駆動伝達構造を示す図である。
【図７２】賞球払出ユニットの解除レバー近傍の内部構成を拡大した図であって、（ａ）は、解除レバーのロック状態、（ｂ）は、解除レバーの解除状態である。
【図７３】裏セットの下部通路ユニット近傍の拡大図である。
【図７４】裏セットの下部ユニット近傍の拡大図である。
【図７５】下部ユニットを前枠の背面側に装着した状態の図であって、（ａ）は、下部ユニットの閉鎖状態、（ｂ）は、下部ユニットの開放状態である。
【図７６】下部ユニットを上方から見た平面図である。
【図７７】下部ユニットを前方から見た正面図である。
【図７８】下部ユニットの斜視図である。
【図７９】下部ユニットを取り外して前枠の背面側における下方部分を拡大した図である。
【図８０】前枠の下方近傍の背面を拡大した図である。
【図８１】下部ユニットが保持する払出制御基板ケースの分解図である。
【図８２】（ａ）は、下部ユニット背面側における基板ベースとの取付け構造を示す図であり、（ｂ）は、基板ベース前面側における下部ユニットとの取付け構造を示す図である。
【図８３】（ａ）は、基板ベース背面側における基板カバーとの取付け構造を示す図であり、（ｂ）は、基板カバー前面側における基板ベースとの取付け構造を示す図である。
【図８４】外部端子基板の近傍を拡大した図であり、（ａ）は、配線の接続前の状態、（ｂ）は、配線の接続後の状態である。
【図８５】下部ユニットの背面側から見た外観図である。
【図８６】下部ユニットを通路出口を通る前後面において切断し、ＩＩ−ＩＩ方向に矢視した断面図である。
【図８７】裏セットの外観斜視図である。
【図８８】下部ユニットの背面側の斜視図である。
【発明を実施するための形態】
【００２６】
以下、本発明の実施の形態に係るパチンコ機２について、図面を参照しつつ説明する。
【００２７】
＜Ａ−１．左辺部の穴部＞
図１は、本発明の実施の形態に係るパチンコ機（遊技機）２の正面図であり、図２は、パチンコ機２の分解斜視図である。図３は、このパチンコ機２の外枠４部分の外観斜視図であって、左斜め上方から見た図である。図４は、外枠４の上辺部４ａと左辺部４ｂとの接続部近傍を拡大した図である。
【００２８】
左辺部４ｂの外側面４ｅであって上辺部４ａとの接続部近傍には穴部４ｆが形成されており、その穴部４ｆは、例えば図示するように略長方形状の穴とされている。左辺部４ｂは、押出し材等の金属材料で中空構造に構成されており、穴部４ｆはその中空内部まで至るように形成されている。この穴部４ｆは、パチンコ機２を組立製造する際に用いる穴である。すなわち、パチンコ機２の組立製造ラインにおける作業台上に、この外枠４の左辺部４ｂを下面として載置する。作業台上には、この穴部４ｆ内に挿入される突起が設けられており、その突起が穴部４ｆ内に挿入されることにより外枠４の倒れ防止機能が発揮されるようになっている。
【００２９】
＜Ａ−２．ヒンジ＞
図５は、外枠４の上側ヒンジ２２ａ近傍を拡大した図であり、図６は、外枠４の下側ヒンジ２２ｂの近傍を拡大した図である。
【００３０】
上側ヒンジ２２ａと下側ヒンジ２２ｂとは、各ヒンジの軸が鉛直方向に一直線上となるように外枠４の左側に配置され、前枠９の左側を揺動支持するように構成されている。上側ヒンジ２２ａは、外枠４の左側上部近傍に前方に突出して配置されている。ヒンジプレート２２ｎに対して上軸部２２ｃがカシメ締結されており、上軸部２２ｃがヒンジプレート２２ｎに対して鉛直下方に突出するようになっている。
【００３１】
下側ヒンジ２２ｂは、外枠４の左側下部近傍であって、幕板ユニット５０の上方に位置している。下側ヒンジ２２ｂは、外枠４に対し前方に突出して配置されている。ヒンジプレート２２ｄの上面には、ヒンジプレート２２ｄに対して下軸部２２ｆがカシメ締結されており、下軸部２２ｆがヒンジプレート２２ｄに対して鉛直上方に突出するようになっている。ヒンジプレート２２ｄには、隆起部２２ｊが形成されている。この隆起部２２ｊは、外枠４に対して前枠９を開閉する際に、前枠９の下面を支持して円滑な開閉を実現するためのものである。
【００３２】
ヒンジプレート２２ｄの上面には、下カバー部材２２ｅが設置されている。下カバー部材２２ｅは、下軸部２２ｆと共にヒンジプレート２２ｄに固定されている。下カバー部材２２ｅは、例えば導電性を有し弾性変形可能な薄い冷間圧延鋼板やステンレス板により形成されている。下カバー部材２２ｅが導電性を有しているので、ヒンジプレート２２ｄを介して外枠４と前枠９の下面との電気的接地性を確保することができるようになっている。または、下カバー部材２２ｅが図示しないワイヤーハーネスやクリップ等により設置枠台と電気接続されていれば、前枠９の下面を設置枠台にアース接続することができる。
【００３３】
下カバー部材２２ｅは途中で屈曲されており、その屈曲された後方部分は、前方に向けて斜めに傾斜する傾斜後部２２ｌとされている。傾斜後部２２ｌが前方に向けて斜めに傾斜しているので、傾斜後部２２ｌ上に遊技球２３が落下した場合に、その遊技球２３を円滑に前方へと誘導してパチンコ機２前方側へと落球させることができるようになっている。前枠９の開放時に遊技球２３がこの傾斜後部２２ｌ上に落下した場合であっても、その遊技球２３がパチンコ機２の内部に入り込んでしまったり、外枠４と前枠９との間に咬み込まれてしまったりしない。
【００３４】
下カバー部材２２ｅの更に後方には、球流入規制部材２４が取り付けられている。球流入規制部材２４は、上方に向けて延びた規制壁２４ａ、この規制壁２４ａの前側に形成された傾斜底部２４ｂを有している。傾斜底部２４ｂ上に落下した遊技球２３が、パチンコ機２の内部に入り込んでしまうのを規制壁２４ａが防止している。また、規制壁２４ａは、下側ヒンジ２２ｂ部分において、外枠４と前枠９との隙間からピアノ線等を挿入して行われる不正行為を防止している。傾斜底部２４ｂは、傾斜後部２２ｌよりも上方に位置して前方に向けて傾斜している。したがって、傾斜底部２４ｂ上に落下した遊技球２３は、傾斜底部２４ｂから傾斜後部２２ｌ、更にはパチンコ機２の前方へと誘導されるようになっている。
【００３５】
＜Ａ−３．前枠ガイド＞
図７は、外枠４の前枠ガイド４１近傍を拡大した図である。図８は、前枠９における突状ガイド４２近傍を拡大した図である。
【００３６】
外枠４の、右側下部近傍であって幕板ユニット５０の上方には、前枠ガイド４１が取り付けられている。この前枠ガイド４１は、開放状態の前枠９を外枠４に対して閉鎖する際に、前枠９の下面近傍に取り付けられた突状ガイド４２を保持して案内するための部材である。前枠ガイド４１は、ポリアセタール（ＰＯＭ）等の摺動性の良好な樹脂材料等で形成され、その前方側に前方に向けて低くなるように傾斜する受け面４１ａと、その受け面４１ａの後方に繋がって形成された水平面としての上面４１ｂとを有している。
【００３７】
前枠９の下面近傍には、前枠ガイド４１に対応する位置に突状ガイド４２が取り付けられている。突状ガイド４２は、ポリアセタール（ＰＯＭ）等の摺動性の良好な樹脂材料等で形成され、前枠９の背面側に後方に突出配置されている。突状ガイド４２は、前方に向けて低くなるように傾斜する下向きのテーパ面４２ａと、そのテーパ面４２ａの前方に繋がって形成された下向きの水平面としての下面４２ｂとを有している。
【００３８】
外枠４に対して前枠９を閉鎖する際に、この突状ガイド４２のテーパ面４２ａが前枠ガイド４１の受け面４１ａに接触し、更に閉鎖するに連れてすくい上げられて下方から支持される。そして、前枠９が外枠４に対して完全に閉鎖され、施錠装置によりロックされた状態においては、突状ガイド４２の下面４２ｂが前枠ガイド４１の上面４１ｂ上に載置された状態となり、前枠９が適正な高さ位置に保持されるようになっている。
【００３９】
＜Ａ−４．幕板ユニット＞
図９は、外枠４を背面側から見て幕板ユニット５０の近傍を拡大した背面図である。図１０は、図９におけるＩ−Ｉ矢視の断面図である。
【００４０】
外枠４の下方位置には、幕板ユニット５０が配置されている。幕板ユニット５０は、実質的に略直方体形状に形成されており、内部が中空とされた中空構造とされている。幕板ユニット５０の中空内部には遊技展開に応じた音声演出を行う図示しない幕板スピーカ、及び幕板基板６５等が配置されている。幕板基板６５は幕板スピーカと配線接続され、かつ、基板上に実装された幕板側コネクタ部材６５ｃを介してパチンコ機２の演出制御基板と接続されて中継基板として機能する。幕板基板６５は、図９及び図１０に示すように、幕板ユニット５０の中空内部に配置され、その一部が幕板ユニット５０の背面側に露出している。
【００４１】
幕板基板６５は、演出制御基板から下方に延びるコネクタケーブル４５のケーブル側コネクタ部材４５ｃと嵌脱自在な幕板側コネクタ部材６５ｃを基板上に実装し、演出制御基板から出力される幕板スピーカ駆動信号を幕板スピーカに伝達する。ここで、幕板基板６５が取り付けられる基板取付部５５は、幕板基板６５及び幕板側コネクタ部材６５ｃが収容できるように、幕板ユニット５０の背面側に凹設されている。図１０に示すように、幕板基板６５は幕板ユニット５０の中空内部に、基板取付部５５に対し前方からビス等の締結部材によって基板表面を前後に向けて固定されている。幕板ユニット５０は、幕板基板６５や幕板スピーカを中空内部に取り付けるために、前後に分割可能となっている。
【００４２】
基板取付部５５は、導入凹部５６、コネクタ挿通窓５７、コネクタ保護部５８、庇部５９を有している。導入凹部５６は、幕板ユニット５０の背面側において前方に向けて凹設された凹部であって、この導入凹部５６に幕板基板６５を前方から取り付けることにより、幕板側コネクタ部材６５ｃが幕板ユニット５０の後方に突出しないようになっている。また、演出制御基板側からのコネクタケーブル４５やケーブル側コネクタ部材４５ｃも導入凹部５６内に収容されて後方への突出が防止されている。ケーブル側コネクタ部材４５ｃは、幕板側コネクタ部材６５ｃと上下方向に沿って着脱可能となっている。その着脱方向は、幕板基板６５の基板表面に沿った方向である。
【００４３】
コネクタ挿通窓５７は、幕板ユニット５０の背面に開口された開口孔である。中空内部に取り付けられた幕板基板６５がこのコネクタ挿通窓５７によって背面側に露出している。コネクタ挿通窓５７は、幕板基板６５の幕板側コネクタ部材６５ｃを背面側に露出させている。
【００４４】
コネクタ保護部５８は、コネクタ挿通窓５７を介して背面側に露出した幕板側コネクタ部材６５ｃを保護するための部分であって、上方を開口し、その側方周囲と下方を覆っている。庇部５９は、導入凹部５６の上方において後方に丸みを帯びて膨出形成された部分である。演出制御基板が幕板基板６５の上方位置に配置されており、演出制御基板側からのコネクタケーブル４５は、上方から下方に延びてこの庇部５９近傍を経由して幕板基板６５へと至るようになっている。庇部５９が丸みを帯びているので、コネクタケーブル４５が庇部５９に接触しても損傷を受けないようになっている。
【００４５】
外枠４に対して前枠９を前方に開放する際には、前枠９と共に演出制御基板も前方移動するので、開放前にケーブル側コネクタ部材４５ｃと幕板側コネクタ部材６５ｃとを外しておく必要がある。ケーブル側コネクタ部材４５ｃと幕板側コネクタ部材６５ｃとを外し忘れた状態で前枠９を前方に開放すると、コネクタケーブル４５が演出制御基板につられて前方に引っ張られてしまう。しかしながら、ケーブルコネクタ４５は庇部５９によって滑らかに湾曲される。その結果、コネクタケーブル４５は、演出制御基板から庇部５９までは前方に引っ張られるが、庇部５９からケーブル側コネクタ部材４５ｃまでは略真っ直ぐ上方に引っ張られることとなる。コネクタケーブル４５に無理な力がかかることなく、また、幕板基板６５がめくれ上がることなくケーブル側コネクタ部材４５ｃが幕板側コネクタ部材６５ｃから上方に外れ、ケーブルやコネクタや基板の損傷が防止される。
【００４６】
＜Ｂ−１．遊技盤取付構造＞
図１１は、このパチンコ機２における前枠９の正面図である。図１２は、前枠９が有する下側の取付バネ板６６近傍を拡大した図であり、図１３は、上側の取付バネ板６６近傍を拡大した図である。図１１において、遊技盤６を二点鎖線で示している。
【００４７】
前枠９は、外枠４の前方に配置され、その左側辺を回転中心として外枠４に対して前方開閉可能に揺動支持されている。前枠９には正面視略長方形を呈して中央開口９ａが形成されており、ここに盤状部材としての遊技盤６を保持する。取付バネ板６６は、前枠９に遊技盤６を保持するためのものである。遊技盤は、合計４箇所で前枠９に保持されるようになっており、遊技盤６の右上部近傍及び右下部近傍においては、図１１に示す２つの遊技盤留め具８によって保持されるようになっている。具体的には、遊技盤留め具８を縦方向にセットした状態で遊技盤６の右上部近傍及び右下部近傍に形成された縦に長い留め孔８ａを遊技盤留め具８に嵌め込む。その後、遊技盤留め具８を回転させて横方向とすることにより、遊技盤６が遊技盤留め具８によって保持されるようになっている（図１４も参照）。
【００４８】
遊技盤の左上部近傍及び左下部近傍の２箇所においては、この取付バネ板６６と前方壁６７とが協働することにより遊技盤６を保持するようになっている。取付バネ板６６は、例えば弾性を有する冷間圧延鋼やステンレス鋼等の金属板を材料とする。取付バネ板６６の２箇所にスリット６６ａを形成し、そのスリット６６ａ間部分を切り起こして当接部６６ｂとしている。当接部６６ｂは、遊技盤６に裏面側から当接して遊技盤６の保持に貢献する。
【００４９】
一方、上下２箇所の取付バネ板６６の近傍には、各々前方壁６７が配置されている。前方壁６７は、前枠９に保持された状態の遊技盤６の表面（前面）に当接し、遊技盤６の前方移動を規制する壁面部である。取付バネ板６６の当接部６６ｂと前方壁６７との前後方向距離は遊技盤６の厚さ以下とされている。遊技盤６の左側の上下２箇所では、遊技盤６の後方から当接部６６ｂが遊技盤６を前方に向けて付勢する。そして、遊技盤６の表面（前面）を前方壁６７が保持する。つまり、取付バネ板６６のバネ性を利用することにより、当接部６６ｂと前方壁６７とで協働して遊技盤６の左側を挟持する構成となっている。
【００５０】
遊技盤６の取付手順としては、まず遊技盤６の左辺側を上下２箇所の前方壁６７の後方位置に斜めに差し込む。差し込んだ状態では、遊技盤６は、左側が後方で右側が前方となるように左右方向に傾斜している。そして、遊技盤６の右辺側を後方に押し込んで上下２箇所の留め孔８ａを遊技盤留め具８に嵌め込みつつ遊技盤留め具８を回転させて固定する。遊技盤６の右辺側を後方に押し込むことにより、遊技盤６の左辺側近傍における裏面側が当接部６６ｂに当接し、前方壁６７と当接部６６ｂとで挟持される。これにより、遊技盤６の右側は上下２箇所の遊技盤留め具８によって保持され、左側は上下２箇所の取付バネ板６６と前方壁６７との協働によって保持される。
【００５１】
＜Ｂ−２．開閉センサ＞
図１４は、前枠９のガラス枠開閉センサ９ｆ近傍を拡大した図である。図１５は、ガラス枠１２側に配置された検出片１２ａ近傍を拡大した図である。図１６は、前枠９の前枠開閉センサ９ｈ近傍を拡大した図である。図１７は、外枠４側に配置された検出片４ｇ近傍を拡大した図である。ガラス枠１２は、前枠９の前方に配置され、その左側辺を回転中心として前枠９に対して前方開閉可能に揺動支持されている。
【００５２】
ガラス枠開閉センサ９ｆは、前枠９に対してガラス枠１２が開放状態であるか閉鎖状態であるかを検出するためのセンサである。ガラス枠開閉センサ９ｆは、前枠９の前面側上部であってガラス枠１２を閉鎖したときにガラス枠１２側の検出片１２ａと当接する位置に配置されている。ガラス枠開閉センサ９ｆには、例えばマイクロスイッチ等のオンオフスイッチが適用され、進退可能な突出片９ｇが前方に突出している。ガラス枠１２が前枠９に対して開放状態の場合、この突出片９ｇが前方に突出し、ガラス枠開閉センサ９ｆは開放状態を検出する。ガラス枠１２が前枠９に対して閉鎖状態の場合、突出片９ｇが検出片１２ａによって後方に押し込まれて引っ込み、ガラス枠開閉センサ９ｆは閉鎖状態を検出する。
【００５３】
検出片１２ａは、弾性を有する樹脂部材で形成されると共に、周囲三方にスリット１２ｍが形成されて、ガラス枠開閉センサ９ｆに当接する当接部１２ｎが多少前後に弾性移動可能とされている。その前後方向の弾性移動の許容が衝撃吸収や位置ずれ吸収の機能を発揮する。すなわち、前枠９に対しガラス枠１２が強い力で閉鎖された場合の検出片１２ａと突出片９ｇとの衝突による衝撃を緩衝したり、検出片１２ａや突出片９ｇの前後方向における多少の位置ずれを吸収したりすることができるようになっている。
【００５４】
前枠開閉センサ９ｈは、外枠４に対して前枠９が開放状態であるか閉鎖状態であるかを検出するためのセンサである。前枠開閉センサ９ｈは、前枠９の背面側下部であって前枠９を閉鎖したときに外枠４側の検出片４ｇと当接する位置に配置されている。前枠開閉センサ９ｈには、例えばマイクロスイッチ等のオンオフスイッチが適用され、進退可能な突出片９ｊが後方に突出している。前枠９が外枠４に対して開放状態の場合、この突出片９ｊが後方に突出し、前枠開閉センサ９ｈは開放状態を検出する。前枠９が外枠４に対して閉鎖状態の場合、突出片９ｊが検出片４ｇによって前方に押し込まれて引っ込み、前枠開閉センサ９ｈは閉鎖状態を検出する。
【００５５】
検出片４ｇは、弾性を有する樹脂部材で形成されると共に、周囲三方にスリット４ｈが形成されて、前枠開閉センサ９ｈに当接する当接部４ｊが多少前後に弾性移動可能とされている。その前後方向の弾性移動の許容が衝撃吸収や位置ずれ吸収の機能を発揮する。すなわち、外枠４に対し前枠９が強い力で閉鎖された場合の検出片４ｇと突出片９ｊとの衝突による衝撃を緩衝したり、検出片４ｇや突出片９ｊの前後方向における多少の位置ずれを吸収したりすることができるようになっている。
【００５６】
なお、この検出片４ｇ，１２ａが位置ずれ吸収機能を有しているので、外枠４、前枠９、ガラス枠１２の各部における設計公差や製造ばらつき等の寸法誤差や、各枠同士を組み立てる際の組立誤差も吸収することができ、設計、製造、組立の際の多少の誤差やばらつきが許容されるようになっている。
【００５７】
＜Ｂ−３．ハーネスカバー＞
図１８は、前枠９の背面図である。図１９は、前枠９の上側ハーネス孔９ｌ近傍を拡大した図である。図２０は、前枠９の下側ハーネス孔９ｍ近傍を拡大した図である。
【００５８】
図１８〜図２０に示すように、前枠９の左側上部近傍には、遊技盤の裏面側からガラス枠１２側へと至る上側ハーネスＨＵが前枠９を貫通するための上側ハーネス孔９ｌが開口形成されている。前枠９の左側下部近傍には、遊技盤の裏面側から球皿１３へと至る下側ハーネスＨＤが前枠９を貫通するための下側ハーネス孔９ｍが開口形成されている。
【００５９】
ガラス枠１２や球皿１３を前枠９に対して前方に開放した際に、これらのハーネスが各々の枠の開放移動に従って前方に引っ張られる。したがって、ハーネス長は適度に余裕を持って若干弛みを有するように設定されている。ガラス枠１２及び球皿１３の開放移動によるハーネスＨＵ，ＨＤの引っ張りの影響がなるべく小さくなるように、上側ハーネス孔９ｌ及び下側ハーネス孔９ｍは、前枠９の左側辺近傍位置であって各枠の揺動支持軸近傍に配置されている。
【００６０】
上側ハーネスＨＵ及び下側ハーネスＨＤは、各々周囲がハーネスカバーＨＣによって覆われている。ハーネスカバーＨＣは、ハーネスの損傷を防止するための保護部材であって、例えば、実質的に円筒形状でその中空内部にハーネスを収容する樹脂カバー部材である。ガラス枠１２や球皿１３の開閉移動に伴い、上側ハーネスＨＵ及び下側ハーネスＨＤは、前方に引っ張られたり後方に押し戻されたりする。そのたびに、各ハーネスＨＵ，ＨＤがハーネス孔９ｌ，９ｍの壁面に繰り返し摺動されるが、各ハーネスＨＵ，ＨＤはハーネスカバーＨＣによって覆われているので、摺動による損傷が防止される。
【００６１】
＜Ｂ−４．前枠の凹設空間＞
図２１は、前枠９の前面側に形成された凹設空間６８近傍を拡大した図である。
【００６２】
凹設空間６８は、前枠９の右側下方近傍に形成され、後方に凹むように形成された空間部分である。凹設空間６８の位置は、大略、球皿１３に配置された発射装置ハンドル１５の後方位置である。凹設空間６８内には、前方に突出しつつ正面視略十字に上下方向及び左右方向に延びて形成された補強リブ６９が形成されている。この補強リブ６９が凹設空間６８を補強しているので凹設空間６８の強度が増加している。そのため、前枠９への大きな外力や長期使用等による凹設空間６８、ひいては前枠９自体の変形や損傷の防止に寄与している。
【００６３】
凹設空間６８の下面には、前後方向に延びる上リブ７１が多数形成され、その上リブ７１の上面が後方から前方に向かって低くなるように傾斜している。この上リブ７１も、凹設空間６８の強度向上に貢献している。また、上リブ７１の上面の傾斜により、凹設空間６８内に零れ落ちた遊技球２３が前方へと円滑に導かれるようになっている。前方へ導かれた遊技球２３は、上リブ７１より一段低い位置であって前枠９の下端近傍に形成された下リブ７２上に落下する。下リブ７２も上リブ７１と同様に前後に延び、前方に向けて低くなるように傾斜している。したがって、下リブ７２上に落下した遊技球２３は前方かつ前枠９外へと円滑に排出される。なお、下リブ７２は、前枠９の強度向上に貢献している。
【００６４】
発射装置ハンドル１５の後方に凹設空間６８が形成されているので、この凹設空間６８内に前枠９や球皿１３における構成物を収容させることができる。したがって、スペース上の余裕が生じ、前枠９の設計自由度が増す。前枠９と球皿１３との閉鎖状態においては、凹設空間６８前方に位置する球皿１３によって、この凹設空間６８が密閉空間となる。球皿１３下方に位置する幕板ユニット５０には幕板スピーカが配置されている。幕板スピーカの後方で、密閉空間となった凹設空間６８がスピーカ音声を増幅する効果がある。凹設空間６８による音質向上、音響増幅の効果を得ることができる。
【００６５】
＜Ｂ−５．ファール球回収構造＞
図２２は、前枠９におけるファール球回収口７３近傍を拡大した図である。
【００６６】
ファール球回収口７３は、前枠９の前面側であって左側下方近傍に配置されている。このパチンコ機２においては、いわゆる垂直発射方式が採用されており、発射ユニットが前枠９の左側下方位置に配置されている。発射ユニットから弾球発射された遊技球２３は、発射レール９ｑを通ってその上方に位置する遊技盤の発射通路に受け渡され、発射通路によって略円弧状の経路を上昇しつつ遊技領域の上部へと導かれ、遊技領域内を流下する。発射レール９ｑは、上方に向かって左に傾斜しており、ファール球回収口７３は発射レール９ｑの上端近傍の左側に隣接配置されている。ファール球回収口７３は、遊技盤の発射通路の下方に位置している。
【００６７】
発射ユニットによる発射強度が充分でなく、発射された遊技球２３が遊技領域にまで到達しない場合には、遊技球２３が遊技盤の発射通路内を逆行する。この逆行した遊技球（ファール球）２３は、重力に従って発射通路から略鉛直下方に落下する。発射レール９ｑは、上方に向かって左に傾斜しており、遊技球２３は斜め左上方に発射されるので、発射された後にファール球として落下する遊技球（ファール球）２３は、図２２に示すように発射レール９ｑの左側を落下する。発射レール９ｑの左側に隣接してファール球回収口７３が配置されているので、遊技球（ファール球）２３は発射レール９ｑに戻らずにファール球回収口７３内に流入する。したがって、逆行した遊技球（ファール球）２３と次回に発射された遊技球２３との発射レール９ｑ内での相互干渉が防止される。
【００６８】
ファール球回収口７３内に流入した遊技球（ファール球）２３はファール球回収通路７４を通って後方へと送られる。ファール球回収通路７４は下球皿１４ｂへと向かう満杯通路と合流しており、遊技球（ファール球）２３は最終的に下球皿１４ｂへと排出されるようになっている。
【００６９】
＜Ｂ−６．賞球出口のシャッター構造＞
図２３は、球皿１３の開放状態における前枠９の上球皿シャッター部材１４６近傍を拡大した図である。図２４は、上球皿シャッター部材１４６近傍を更に拡大した図であり、（ａ）は上球皿シャッター部材１４６の起立状態、（ｂ）は上球皿シャッター部材１４６の傾倒状態を示している。なお、球皿１３の開放状態においては上球皿シャッター部材１４６が起立状態となり、球皿１３の閉鎖状態においては上球皿シャッター部材１４６が傾倒状態となる。
【００７０】
上球皿シャッター部材１４６は、前枠９の左側下方近傍位置に配置されている。より具体的には、遊技盤裏面側の裏セットに配置された賞球払出ユニット９０から払い出される賞球としての遊技球２３が、賞球通路を通った後に上球皿１４ａに向けて案内される上球皿通路１４０の出口近傍に配置されている。上球皿シャッター部材１４６は、前枠９に対して球皿１３を前方に開放した際に、上球皿通路１４０から遊技球２３が零れ落ちるのを防止するための遮蔽部材である。球皿１３が前枠９に対して前方開放された状態においては、上球皿シャッター部材１４６はその回転軸に設けられた捩りバネの付勢力によって起立状態となり、上球皿通路１４０内に進入する（図２３及び図２４（ａ）参照）。それにより、遊技球２３は上球皿シャッター部材１４６によって流下が遮断され、上球皿通路１４０から前方へと零れ落ちるのが防止される。
【００７１】
球皿１３側には、上球皿通路１４０に対応して案内口１４２が後方に突出するように形成されている。球皿１３が前枠９に対して閉鎖されると、案内口１４２が上球皿シャッター部材１４６を後方へと押し込み上球皿シャッター部材１４６が図２４（ｂ）に示すように傾倒状態となる。この状態において、上球皿シャッター部材１４６は案内口１４２の下方に入り込むように位置し、その結果、上球皿シャッター部材１４６は上球皿通路１４０の通路外に退避することとなる。したがって、球皿１３を閉鎖した状態においては、上球皿シャッター部材１４６は遊技球２３の流下を遮断せず許容し、賞球払出ユニット９０から払い出された遊技球２３は円滑に上球皿１４ａへと案内される。
【００７２】
上球皿シャッター部材１４６の上縁は、起立状態において左側から右側にかけて下がり傾斜する傾斜辺１４６ａとされている。傾斜辺１４６ａは、上球皿シャッター部材１４６が傾倒状態となると、左側から右側にかけて後方から前方へと斜めの状態となる。球皿１３が前枠９に対し、閉鎖状態から徐々に開放される際に、案内口１４２が上球皿通路１４０から徐々に離間すると、上球皿通路１４０内に存在する遊技球２３が傾倒状態の上球皿シャッター部材１４６上に載ってしまう場合がある。上球皿シャッター部材１４６の傾斜辺１４６ａが傾倒状態で左側から右側にかけて後方から前方へと斜めとなっているので、上球皿シャッター部材１４６に載った遊技球２３は留まらず、左側から右側へと円滑に案内される。この上球皿シャッター部材１４６の右側には、下球皿１４ｂへと連通する満杯通路に合流する合流通路１４３の通路口１４３ｂが開口形成されている。通路口１４３ｂは、球皿１３の閉鎖状態においては案内口１４２によって閉鎖されている。球皿１３が前枠９に対して前方開放すると、案内口１４２が前方移動して通路口１４３ｂと上球皿通路１４０とが連通するようになっている。したがって、球皿１３が前方開放した際に、上球皿シャッター部材１４６上に載った遊技球２３は円滑に合流通路１４３へと案内されて下球皿１４ｂへと排出されるようになっている。
【００７３】
＜Ｂ−７．満杯通路＞
図２５は、パチンコ機２の遊技球通路構成を説明するための前枠９と裏セットＷとの分解斜視図である。裏セットＷは、前枠９の後方に取り付けられている。パチンコ機２は、遊技球通路として大略、上球皿通路１４０、満杯通路１７２、ファール球回収通路７４、合流通路１４３、後方排出通路８０を有している。
【００７４】
図２６及び図２７は、満杯通路１７２を説明するための裏セットＷの縦断面図である。図２６は、図２５中の平面Ｐに沿って切断し、前方から後方に向けて見た図である。図２７は、図２５中の平面Ｐに沿って切断し、後方から前方に向けて見た図である。
【００７５】
上球皿通路１４０は、賞球払出ユニット９０から賞球払出通路を通って賞球として払い出された遊技球２３を上球皿１４ａに案内するための通路であって、賞球払出ユニット９０の賞球払出通路と上球皿１４ａとに連通している。上球皿通路１４０の通路出口１４１には上球皿シャッター部材１４６が配置されており、通路出口１４１は上球皿１４ａに接続される。この上球皿シャッター部材１４６は、球皿１３の前枠９に対する閉鎖状態においては傾倒して遊技球２３の上球皿１４ａへの通過を許容し、球皿１３の前枠９に対する開放状態においては、通路内に起立して遊技球２３の上球皿１４ａへの通過を遮断する。
【００７６】
満杯通路１７２は、上球皿１４ａが満杯状態の場合に、溢れた遊技球（賞球）２３を下球皿１４ｂに案内するための通路であって、上球皿通路１４０と下球皿１４ｂとに連通している。満杯通路１７２の通路出口１７２ａには下球皿シャッター部材１４５が配置されており、通路出口１７２ａは下球皿１４ｂに接続される。この下球皿シャッター部材１４５は、球皿１３の前枠９に対する閉鎖状態においては下方回転移動することにより通路出口１７２ａを開口させて遊技球２３の下球皿１４ｂへの通過を許容し、球皿１３の前枠９に対する開放状態においては、上方回転移動して通路出口１７２ａを閉鎖することにより遊技球２３の下球皿１４ｂへの通過を遮断する。
【００７７】
ファール球回収通路７４は、ファール球回収口７３に流入したファール球としての遊技球２３を下球皿１４ｂに案内するための通路であって、ファール球回収口７３と満杯通路１７２とに連通している。合流通路１４３は、球皿１３を前枠９に対して前方開放したときに、上球皿通路１４０の出口近傍において上球皿シャッター部材１４６によってせき止められた遊技球２３を下球皿１４ｂに案内するための通路であって、上球皿通路１４０と満杯通路１７２とに連通している。後方排出通路８０は、球抜きレバー操作によって賞球払出ユニット９０から球抜きされた遊技球２３をパチンコ機２の後方へと排出するための通路であって、賞球払出ユニット９０の球抜き通路と島設備側の球回収口とに連通している。
【００７８】
ファール球回収通路７４、合流通路１４３の主要部は各々前枠９側に配置されており、上球皿通路１４０、満杯通路１７２、後方排出通路８０の主要部は各々裏セットＷ側に配置されている。前枠９側の合流通路１４３の後方に上球皿通路１４０及び満杯通路１７２が上下二段に構成されて配置されており、更にその後方に後方排出通路８０が配置されている。
【００７９】
図に示すように、上球皿通路１４０と満杯通路１７２とは、仕切り部８２によって上下に仕切られて、二段構成となっている。上球皿通路１４０の左端部近傍位置には、後方壁面１４０ａから前方に突出するように突出片８４が配置されている。賞球払出ユニット９０から払い出された遊技球（賞球）２３ａは、上球皿通路１４０の後方壁面１４０ａ近傍であって突出片８４の鉛直上方から通路内に落下するように構成されており、この突出片８４に衝突するようになっている。
【００８０】
一方、ファール球回収口７３からファール球回収通路７４を通って流入した遊技球（ファール球）２３ｂは、通路内に前方壁面１４０ｂ側から流入する。この前方壁面１４０ｂ近傍には突出片８４が延びていないので、遊技球（ファール球）２３ｂは突出片８４に衝突せずそのまま下方の満杯通路１７２へと落下するようになっている。
【００８１】
賞球払出ユニット９０から流入した遊技球（賞球）２３ａは突出片８４に衝突して仕切り部８２上に受けられ、上球皿通路１４０を通って通路出口１４１から上球皿１４ａへと案内されるようになっている。上球皿通路１４０が満杯状態となり、仕切り部８２上に遊技球（賞球）２３ａが溢れた状態になると、仕切り部８２が後続する遊技球（賞球）２３ａを受けることができないので、後続する遊技球（賞球）２３ａは突出片８４に衝突した後に下方の満杯通路１７２へと落下し、通路出口１７２ａから下球皿１４ｂへと案内される。
【００８２】
ファール球回収口７３から流入した遊技球（ファール球）２３ｂは、ファール球回収通路７４を通って通路内に流入する。遊技球（ファール球）２３ｂは、突出片８４に衝突せずそのまま下方の満杯通路１７２へと落下し、通路出口１７２ａから下球皿１４ｂへと案内されるようになっている。合流通路１４３から通路内に流入した遊技球２３ｃは、満杯通路１７２の途中に合流され、そのまま通路出口１７２ａから下球皿１４ｂへと案内されるようになっている。
【００８３】
なお、満杯通路１７２の通路出口１７２ａ近傍においては、通路が前後方向に延びて形成されており、その通路内後方位置に満杯検出センサ１９０が配置されている。満杯検出センサ１９０は、下球皿１４ｂが満杯状態となったことを検出し、パチンコ機２の制御手段に向けて満杯エラー信号を送信するものである。通路出口１７２ａ近傍において満杯通路１７２が前後に延びており、その最も奥の位置に満杯検出センサ１９０が配置されているので、満杯エラー検出までの間に、下球皿１４ｂに加えて通路出口１７２ａから奥側の満杯検出センサ１９０の位置までの満杯通路１７２内に遊技球２３を貯留することができる。満杯エラー検出までに多くの遊技球２３を貯留することができるので、満杯エラーの頻度を低減することができ、結果的に遊技の中断回数を低減することができる。
【００８４】
＜Ｂ−８．位置決め突起＞
図２８は、前枠９の背面における下球皿１４ｂ側の通路出口１７２ａ近傍を拡大した図である。図２９は、裏セットＷにおける満杯通路開口１７２ｅ近傍を拡大した図である。裏セットＷは、前枠９の後方位置に揺動開閉可能に配置される。満杯通路開口１７２ｅは、裏セットＷの閉鎖時に通路出口１７２ａに接続される部分である。
【００８５】
前枠９の背面側における通路出口１７２ａの左側近傍には、後方に突出して上下に延びる突出壁１５１が配置されている。突出壁１５１に隣接するように、突出ピン１５２が後方に突出して配置されている。突出壁１５１及び突出ピン１５２は、前枠９本体の背面側、すなわち裏セットＷの前面側と対向する側に、例えば樹脂成形により突出形成されている。
【００８６】
突出壁１５１は、下球皿１４ｂ側から通路出口１７２ａを介してピアノ線等の不正工具がパチンコ機２内部に侵入するのを防止する機能を有している。突出壁１５１が通路出口１７２ａの左側に配置されているので、パチンコ機２の左側後方に配置される賞球払出ユニット９０に向かって不正工具を侵入させる行為を、特に有効に防止することができる。
【００８７】
突出ピン１５２は突出壁１５１に隣接しており、突出壁１５１の一部が突出ピン１５２に食い込むように、実質的に一体化されて形成されている。突出ピン１５２は、円柱形状であって先端がテーパ状とされている。裏セットＷの前面側には、突出ピン１５２に対応する位置に円弧状壁面１７２ｆが突出形成されている。前枠９に対し裏セットＷを閉鎖した際に、円弧状壁面１７２ｆと突出ピン１５２の円柱側面とが接触して、前枠９に対する裏セットＷの取付位置精度の向上が図られている。突出ピン１５２の先端がテーパ状となっているので、突出ピン１５２と円弧状壁面１７２ｆとの衝突が防止され、裏セットＷの閉鎖に伴い突出ピン１５２の先端によって円弧状壁面１７２ｆが適切な位置に案内されるようになっている。
【００８８】
前枠９の背面には、突出ピン１５２と離間した位置であって前枠９の右側に配置されるファール球回収通路の下方近傍にも突出ピン１５３が後方に突出して配置されている。裏セットＷの前面側には、突出ピン１５３と対応する位置に横に長い楕円状の収容凹部を有する楕円壁１７２ｇが前方に突出形成されている。裏セットＷの閉鎖時に、突出ピン１５３が楕円壁１７２ｇの収容凹部に収容されることで、裏セットＷの位置決め精度の一層の向上が図られている。
【００８９】
前枠９背面側の通路出口１７２ａの周囲を囲むように周囲溝１１ａが形成されている。裏セットＷ前面側の満杯通路開口１７２ｅの周囲を囲むように周囲壁１１ｂが前方に突出形成されている。裏セットＷを前枠９に対して閉鎖した場合に周囲へき１１ｂが周囲溝１１ａ内に挿入されるようになっている。したがって、下球皿１４ｂの通路出口１７２ａ近傍から不正工具を侵入させる不正行為は有効に防止される。
【００９０】
＜Ｃ−１．ガラス枠のヒンジ＞
図３０は、パチンコ機２のガラス枠１２の正面図である。図３１は、ガラス枠１２の背面図である。図３２は、ガラス枠１２を左斜め上方から斜視して左側上部近傍を拡大した図である。図３３は、前枠９の前枠上側ヒンジ９ｂ近傍を拡大した図である。図３４は、ガラス枠１２の背面側における突出軸１２ｂ近傍を拡大した図である。図３５は、前枠９の中間ヒンジ７５近傍を拡大した図である。
【００９１】
ガラス枠１２は、前枠９の前方に遊技盤の前方を覆うように配置されており、前枠９に対して前方へ揺動開閉可能とされている。ガラス枠１２は、その正面視左側上部近傍及び左側下部近傍において、前枠９側の前枠上側ヒンジ９ｂ及び中間ヒンジ７５に軸支されている。前枠上側ヒンジ９ｂのヒンジプレート９ｎには、ガラス枠用孔９ｐが形成されている。このガラス枠用孔９ｐに、ガラス枠１２の突出軸１２ｂが貫通するようになっている。
【００９２】
突出軸１２ｂは、上下方向に延びる軸部１７とその軸部１７下端からＬ字状に屈曲する屈曲部１８とを有して全体として略Ｌ字形状とされている。屈曲部１８は、ガラス枠１２の背面に配置されたベース板１２ｄの左側上部近傍に逆Ｌ字形状に形成された屈曲孔１８ａに挿通されている。屈曲部１８の位置によって、突出軸１２ｂが上下移動可能／上下移動不可の２状態を実現できるようになっている。ガラス枠１２を前枠９に対し着脱する際には突出軸１２ｂを上下移動可能状態として軸部１７を下方移動させ、ガラス枠１２を前枠９に装着した後には突出軸１２ｂを上方移動させて軸部１７をガラス枠用孔９ｐに挿入した後に上下移動不可状態として脱落防止する。
【００９３】
前枠９の左側端部近傍の中間位置、すなわち、ガラス枠１２の下端部近傍であって球皿１３の上端部近傍の位置には、中間ヒンジ７５が配置されている。この中間ヒンジ７５においては、ヒンジプレート７５ａが前枠９の前方に突出し、ガラス枠用孔９ｐの鉛直下方となる位置において、上方に突出する上方ピン７５ｂが配置されている。上方ピン７５ｂは、ガラス枠１２の左側下端部近傍に形成されたピン孔に挿通されるようになっており、この上方ピン７５ｂとピン孔との係合、及び軸部１７とガラス枠用孔９ｐとの係合によって、ガラス枠１２は前枠９に対して揺動軸支される。
【００９４】
上方ピン７５ｂは、フランジ部７５ｄとそのフランジ部７５ｄより小径とされた円柱状の軸部７５ｅとを有し、軸部７５ｅがヒンジプレート７５ａ上に上方に突出するように配置されている。フランジ部７５ｄがヒンジプレート７５ａと協働して下カバー部材７５ｆを挟持するように、この上方ピン７５ｂは、ヒンジプレート７５ａに対してカシメ結合されている。下カバー部材７５ｆは、導電性を有して弾性変形可能な薄い金属板（冷間圧延鋼板やステンレス板）により形成されている。下カバー部材７５ｆが導電性を有しているので、ヒンジプレート７５ａを介して前枠９とガラス枠１２の下面との電気的接地性を確保することができるようになっている。または、下カバー部材７５ａが図示しないワイヤーハーネスやクリップ等により設置枠台と電気接続されていれば、前枠ガラス枠１２の下面を設置枠台にアース接続することができる。
【００９５】
下カバー部材７５ａは途中で屈曲されており、その屈曲された後方部分は、前方に向けて斜めに傾斜する傾斜後部７５ｈとされている。傾斜後部７５ｈが前方に向けて斜めに傾斜しているので、傾斜後部７５ｈ上に遊技球２３が落下した場合に、その遊技球２３を円滑に前方へと誘導してパチンコ機２前方側へと落球させることができるようになっている。ガラス枠１２の開放時に遊技球２３がこの傾斜後部７５ｈ上に落下した場合であっても、その遊技球２３がパチンコ機２の内部に入り込んでしまったり、前枠９とガラス枠１２との間に咬み込まれてしまったりしないようになっている。
【００９６】
また、傾斜後部７５ｈは、その傾斜によりガラス枠１２の下面に付勢状態で当接して、ガラス枠１２の下面における隙間の発生も防いでいる。これにより、この中間ヒンジ７５近傍におけるガラス枠１２の下面からの不正行為を防止する機能も発揮している。
【００９７】
＜Ｃ−２．可動体＞
図３６は、ガラス枠１２の分解斜視図である。ガラス枠１２は、遊技領域に合わせて中央開口１２ｃが開口形成されたベース板１２ｄの前面右側に右演出ユニット２２０が、前面左側に左演出ユニット２５０が、前面上部に上演出ユニット２８０がそれぞれ取り付けられて構成される。
【００９８】
＜右演出ユニット＞
図３７は、ガラス枠１２の右演出ユニット２２０の概略構造を示す斜視図である。図３８，３９は、右演出ユニット２２０の右装飾体可動ユニット２３０の構造図であって、図３８は、装飾部材が開いた状態、図３９は、装飾部材が閉じた状態である。右演出ユニット２２０は、上下に長く延びる取付ベース板２２１上に電飾基板２２２、基板カバー２２３、右装飾体可動ユニット２３０が取り付けられて構成される。
【００９９】
電飾基板２２２は、上下に細長く形成され、その前面に前方に向けて発光可能な複数のＬＥＤ光源が配設されて構成される。この電飾基板２２２は、取付ベース板２２１の前面側に取り付けられている。基板カバー２２３は、ＬＥＤ光源からの光を透過可能な透明又は半透明な材料を用いて断面視略くの字状に形成されており、電飾基板２２２の前面側を覆うように取付ベース板２２１に取り付けられている。
【０１００】
右装飾体可動ユニット２３０においては、駆動モータ２３１の回転駆動により、揺動部材２３２が揺動回転するようになっている。その揺動回転によって左スライドレール２４４と右スライドレール２４１とが、相互に逆方向に上下移動するようになっている。揺動部材２３２の後方揺動腕２３２ｂの先端は左スライドレール２４４に連結されている。左スライドレール２４４には、上側装飾カバー２４７ｂ，２４８ｂ，２４９ｂが取り付けられている。
【０１０１】
一方、揺動部材２３２の前方揺動腕２３２ｃの先端はスライド部材２３４に連結され、スライド部材２３４はＬ字状の屈曲部を介して右スライドレール２４１に連結されている。右スライドレール２４１には、下側装飾カバー２４７ａ，２４８ａ，２４９ａが取り付けられている。
【０１０２】
上下に対応して対となる装飾カバーが開いた状態から閉じた状態への遷移（図３８→図３９）について説明する。駆動モータ２３１が図３８中左回りに回転すると、ギアによって歯合された揺動部材２３２が右回りに回転する。右回りに伴って後方揺動腕２３２ｂの先端が下方移動し、連結された左スライドレール２４４も下方移動する。そして、左スライドレール２４４に取り付けられた上側装飾カバー２４７ｂ，２４８ｂ，２４９ｂも下方移動する。
【０１０３】
揺動部材２３２の右回りに伴って前方揺動腕２３２ｃの先端が上方移動し、連結されたスライド部材２３４及び右スライドレール２４１も共に上方移動する。そして、右スライドレール２４１に取り付けられた下側装飾カバー２４７ａ，２４８ａ，２４９ａも上方移動する。上側装飾カバー２４７ｂ，２４８ｂ，２４９ｂの下方移動と下側装飾カバー２４７ａ，２４８ａ，２４９ａの上方移動により、図３８→図３９のように、各々上下に対応して対となる装飾カバーによる閉鎖動作が実現される。なお、対となる装飾カバーの閉じた状態から開いた状態への遷移（図３９→図３８）については、駆動モータ２３１の図３９中右回り回転によって上記と逆方向のプロセスにより実現されるので、説明を省略する。
【０１０４】
＜左演出ユニット＞
図４０は、ガラス枠１２の左演出ユニット２５０の概略構造を示す斜視図である。図４１，４２は、左演出ユニット２５０の左装飾体可動ユニット２６０の構造図であって、図４１は、装飾部材が開いた状態、図４２は、装飾部材が閉じた状態である。左演出ユニット２５０は、駆動モータの向きやスライドレールの形状等が若干異なる点を除いて、大部分の構成は右演出ユニット２２０と略同様となっている。
【０１０５】
左演出ユニット２５０は、上下に長く延びる取付ベース板２５１上に電飾基板２５２、基板カバー２５３、左装飾体可動ユニット２６０が取り付けられて構成される。左装飾体可動ユニット２６０の大部分は、透明又は半透明なユニットカバー２５９により覆われている。
【０１０６】
電飾基板２２２は、上下に細長く形成され、その前面に前方に向けて発光可能な複数のＬＥＤ光源が配設されて構成される。この電飾基板２２２は、取付ベース板２２１の前面側に取り付けられている。基板カバー２５３は、ＬＥＤ光源からの光を透過可能な透明又は半透明な材料を用いて形成されており、電飾基板２５２の前面側を覆って取付ベース板２５１に取り付けられている。
【０１０７】
左装飾体可動ユニット２６０においては、駆動モータ２６１の回転駆動により、揺動部材２６２が揺動回転するようになっている。その揺動回転によって左スライドレール２７３と右スライドレール２７４とが、相互に逆方向に上下移動するようになっている。揺動部材２６２の左方揺動腕２６２ｂの先端は左スライドレール２７３に連結されている。左スライドレール２７３には、下側装飾カバー２７７ａ，２７８ａ，２７９ａが取り付けられている。
【０１０８】
一方、揺動部材２６２の右方揺動腕２６２ｃの先端はスライド部材２６４に連結され、スライド部材２６４は直接上側装飾カバー２７７ｂに取り付けられている。上側装飾カバー２７７ｂは右スライドレール２７４に取り付けられており、同様に右スライドレール２７４に取り付けられた他の上側装飾カバー２７８ｂ，２７９ｂと同期して上下移動するようになっている。
【０１０９】
上下に対応して対となる装飾カバーが開いた状態から閉じた状態への遷移（図４１→図４２）について説明する。駆動モータ２６１が図４１中左回りに回転すると、ギアによって歯合された揺動部材２６２が右回りに回転する。右回りに伴って左方揺動腕２６２ｂの先端が上方移動し、連結された左スライドレール２７３も上方移動する。そして、左スライドレール２７３に取り付けられた下側装飾カバー２７７ａ，２７８ａ，２７９ａも下方移動する。
【０１１０】
揺動部材２６２の右回りに伴って右方揺動腕２６２ｃの先端が下方移動し、連結されたスライド部材２６４も下方移動する。そして、スライド部材２６４に取り付けられた上側装飾カバー２７７ｂも下方移動する。上側装飾カバー２７７ｂが取り付けられている右スライドレール２７４も下方移動し、その右スライドレール２７４に取り付けられている他の上側装飾カバー２７８ｂ，２７９ｂも共に下方移動する。下側装飾カバー２７７ａ，２７８ａ，２７９ａの上方移動と上側装飾カバー２７７ｂ，２７８ｂ，２７９ｂの下方移動とにより、図４１→図４２のように、各々上下に対応して対となる装飾カバーによる閉鎖動作が実現される。なお、対となる装飾カバーの閉じた状態から開いた状態への遷移（図４２→図４１）については、駆動モータ２６１の図４２中右回り回転によって上記と逆方向のプロセスにより実現されるので、説明を省略する。
【０１１１】
＜上演出ユニット＞
図４３は、ガラス枠１２の上演出ユニット２８０近傍の要部を分解した図である。図４４は、上演出ユニット２８０の回転装飾部材２８３部分の正面図であり、（ａ）は回転基準位置、（ｂ）は１８０°回転位置を示している。
【０１１２】
上演出ユニット２８０の中央部分には、回転装飾装置２８１が設けられている。回転装飾装置２８１は、保持筐体２８２、駆動モータ２８２ａ、透明又は半透明の材質により円筒状に形成された回転装飾部材２８３、ＬＥＤを表面に実装した電飾基板２８８を有して大略構成される。保持筐体２８２の前端部に回転装飾部材２８３が回転自在に支持され、この回転装飾部材２８３の中空内部に電飾基板２８８が挿入されている。回転装飾部材２８３の外周部には、２種類の図柄が形成されており、図４４（ａ）の回転基準位置において一方の図柄が視認でき、回転基準位置から左右に延びる回転軸を中心に１８０°回転した図４４（ｂ）の１８０°回転位置において他方の図柄が視認できるようになっている。
【０１１３】
例えば、遊技の進行状況に応じて駆動モータ２８２ａ及び電飾基板２８８の駆動制御を行うことにより、種々の演出を実現することができるようになっている。駆動モータ２８２ａを正逆方向に回転駆動することにより、回転装飾部材２８３を所定回転角度で上下に揺動（スイング）移動させることもできる。
【０１１４】
なお、電飾基板２８８は、ハーネスを用いて電気接続されているため、回転装飾部材２８３と共に回転軸を中心に回転するとハーネスが絡んだり断線したりしてしまうおそれがある。したがって、回転装飾部材２８３は回転するが、その中空内部に配置された電飾基板２８８は回転せず、常にＬＥＤが前方を照射するようになっている。電飾基板２８８が回転しないものの、その外周の光透過性を有する回転装飾部材２８３がスイング移動するので、あたかもＬＥＤからの光も上下にスイングしているような演出が可能となる。
【０１１５】
＜Ｃ−３．ベース板＞
図４５は、ガラス枠１２の裏面側を右斜め上方から斜視した図であり、図４６は、ガラス枠１２の背面側におけるスピーカ取付部分近傍を拡大して背面側から見た図である。ガラス枠１２は、金属製のベース板１２ｄを有しており、ベース板１２ｄの前方に各演出ユニット２２０，２５０，２８０が取り付けられて構成されている。ベース板１２ｄは、亜鉛めっき鋼板やステンレス板等の高強度の金属板で形成されており、平面視略長方形状を呈して中央に中央開口１２ｃが形成されている。
【０１１６】
ベース板１２ｄの四方周囲には、Ｌ字状に後方へ屈曲形成されたリブが形成されている。中央開口１２ｃの下方には、ベース板１２ｄに溶接固定された断面Ｌ字状の下リブ１２ｇが設けられている。高強度の金属板をベース板１２ｄとして用いた上に、周囲にリブを設けることにより、ガラス枠１２の強度が向上して歪みや損傷に強いものとなっている。また、これらのリブが後方へ突出することにより、ガラス枠１２と前枠９との隙間を利用した不正行為も防止している。下リブ１２ｇの後端辺１２ｈ側には、略一定間隔で複数の切欠き１２ｊが形成されている。この切欠き１２ｊは、ベース板１２ｄの取付用ビス孔の位置に対応して配置されている。切欠き１２ｊが形成されているので、取付ビスをビス締結用ドライバで締結／分解する作業を行う際に、下リブ１２ｇが邪魔にならないようになっている。
【０１１７】
ガラス枠１２の右側上部近傍位置には、ベース板１２ｄの内部（ベース板１２ｄと演出ユニットとの間）に前方に向けて音声出力可能なスピーカが搭載されている。ベース板１２ｄにおけるスピーカ取付位置に対応した部分に、遊技球の直径よりもその直径が小さい放音用孔２１１が複数開口形成されている。この放音用孔２１１を形成することにより、スピーカから後方に向けて出力された音を、効果的にベース板１２ｄの後方に逃がすことかできる。したがって、スピーカとベース板１２ｄとの間の空間での”音のこもり”を防止することができる。また、放音用孔２１１の直径が遊技球の直径よりも若干小さく形成されているので、例えば遊技球が放音用孔２１１を通過してしまってベース板１２ｄの内部に誤って入り込むことを防止できる。放音用孔２１１は、本実施の形態においては円形孔であるが、もちろん四角や三角等の他の形状でもよい。その場合においても、遊技球が放音用孔２１１を通過不可能であることが必要である。
【０１１８】
また、スピーカは、制御基板とスピーカケーブルにより電気接続されており、スピーカとスピーカケーブルとの接続部分には、差し込むだけで電気接続可能なファストン端子が用いられている。そのため、例えばスピーカに対しスピーカケーブルを半田接続する場合と比較して、ショート等の不具合の発生を低減できるとともに、スピーカとスピーカケーブルとの電気接続及び接続解除を容易かつ確実に行うことができる。
【０１１９】
＜Ｃ−４．開閉構造＞
図４７は、ガラス枠１２の下面近傍の裏面側を拡大した図である。図４８は、球皿１３の上面近傍の前面側を拡大した図である。
【０１２０】
ガラス枠１２の下面には、下面の右端近傍から左端近傍に亘って後方に突出する突部１２ｋが形成されている。突部１２ｋは、下リブ１２ｇよりも更に下方位置に形成されている。球皿１３の上面には、前方に凹溝１３ｄを向けるように折返し部１３ｅが形成されている。パチンコ機２に取り付けられた状態では、球皿１３の折返し部１３ｅよりもガラス枠１２の突部１２ｋが前方に位置するようになっており、突部１２ｋが凹溝１３ｄに嵌まり込むようになっている。
【０１２１】
前枠９に対して、ガラス枠１２及び球皿１３が閉鎖状態にあるとき、ガラス枠１２の突部１２ｋが球皿１３の凹溝１３ｄに嵌まり込んでいるので、ガラス枠１２と球皿１３との間から不正工具をパチンコ機２内部へと侵入させることが極めて困難となるようにされ、高い不正防止効果を発揮している。更に、突部１２ｋの上方に、ベース板１２ｄから後方に突出する下リブ１２ｇが配置されているので、下リブ１２ｇによっても更なる高い不正防止効果が発揮されている。
【０１２２】
突部１２ｋが前方から凹溝１３ｄに嵌まり込む構造となっているので、ガラス枠１２を前枠９から開放しないと球皿１３を前枠９から開放することができないようになっている。ガラス枠１２を開放した後も、ガラス枠１２の開放角度よりも大きな開放角度で球皿１３を開放することができないようになっている。球皿１３を開放する前に必ずガラス枠１２を開放する必要があるので、ガラス枠１２を開放する時点においては球皿１３は閉鎖状態である。ガラス枠１２をした際に遊技盤から遊技球が落下しても、その遊技球がパチンコ機２の前方へと零れ落ちることなく球皿１３内で受け止めることができる。
【０１２３】
＜Ｄ−１．演出ボタン＞
図４９は、球皿１３の正面図である。図５０は、球皿１３の外観斜視図である。図５１は、球皿１３における操作ボタンユニット４４の分解図である。図５２は、操作ボタンユニット４４を下方から見た底面図である。
【０１２４】
球皿１３は、前面側に上球皿１４ａと下球皿１４ｂとを有している。上球皿１４ａの周壁１４ｃ上面には、操作ボタンユニット４４が配置されている。操作ボタンユニット４４は、演出ボタン４０及びＣＲ操作ボタン４３を有して大略構成される。演出ボタン４０は決定ボタン４０ａと左右方向キー４０ｂとを有している。ＣＲ操作ボタン４３は、球貸しボタン４３ａと返却ボタン４３ｂとを有している。
【０１２５】
演出ボタン４０は、遊技の状況に応じて遊技者による演出参加や演出選択を可能とするための操作ボタンである。例えば、遊技の途中で遊技領域内の演出表示装置に複数の映像が選択可能に表示された場合に、遊技者が左右方向キー４０ｂの操作によって所望の映像を選択し、決定ボタン４０ａの操作によって選択した映像を決定する。
【０１２６】
ＣＲ操作ボタン４３は、遊技媒体としての遊技球の貸出しに関する操作ボタンである。パチンコ機２に隣接配置された、いわゆるサンド機と呼ばれる球貸し機に球貸出し用のカード等を挿入すると、パチンコ機２は球貸し可能状態となる。この状態で球貸しボタン４３ａを押すことにより、所定数の遊技球が貸し出される。具体的には、例えば、パチンコ機２の賞球払出ユニット９０から上球皿１４ａへと所定数の遊技球が払い出される。遊技者が遊技を終了する場合には、返却ボタン４３ｂを押す。それにより、挿入されていた球貸出し用のカードがサンド機から排出され、遊技者に返却される。
【０１２７】
操作ボタンユニット４４は、演出ボタン４０、ＣＲ操作ボタン４３の他に、ボタンユニットカバー部材４４ａ、演出ボタン用基板４０ｃ、ＣＲ操作ボタン用基板４３ｃ、上球皿右側前面電飾基板４４ｂを有して１ユニットとされている。ボタンユニットカバー部材４４ａの前面側に上球皿右側前面電飾基板４４ｂが取り付けられ、ボタンユニットカバー部材４４ａの上面側に演出ボタン４０及び操作ボタン４３が取り付けられている。演出ボタン用基板４０ｃとＣＲ操作ボタン用基板４３ｃとは、各々演出ボタン４０と操作ボタン４３の下方位置に配置されており、各ボタン操作を検出すると共に、その検出信号をパチンコ機２の制御手段へと送信するようになっている。
【０１２８】
操作ボタンユニット４４が演出ボタン４０、ＣＲ操作ボタン４３等を有して１ユニットとされているので、球皿１３とは別に操作ボタンユニット４４を単独で組立てた上で、組立完了した操作ボタンユニット４４を球皿１３に取り付ける組立作業が可能となる。球皿１３の他部品の組立と同時に演出ボタン４０やＣＲ操作ボタン４３の各部品を球皿１３に組み付ける必要がないので、組立作業効率が向上する。操作ボタンユニット４４の組立工程が球皿１３の組立工程に依存しないので、球皿１３の組立を待つことなく操作ボタンユニット４４を組み立てることができる。操作ボタンユニット４４の動作確認等の検査工程も球皿１３の検査工程と独立して行うことができる。
【０１２９】
図５３は、ＣＲ操作ボタン４３近傍を拡大した図である。球貸しボタン４３ａは上球皿１４ａの周壁１４ｃの上面から上方に突出するように配置され、返却ボタン４３ｂは周壁１４ｃの上面と略同一高さ又はそれ以下の高さとなるように配置されている。したがって、球貸ボタン４３ａの方が返却ボタン４３ｂよりも高さが高くなるように配置されている。球貸しボタン４３ａのボタン操作は、返却ボタン４３ｂのボタン操作よりも頻繁に行われ、また、遊技中にも行われることが多い。球貸ボタン４３ａが返却ボタン４３ｂより高い位置に設定され、また、周壁１４ｃの上面よりも高い位置に設定されているので、球貸しボタン操作がし易くなっている。球貸しボタン４３ａのボタン操作性が向上し、遊技者への負担軽減に寄与している。
【０１３０】
操作ボタンユニット４４は、更に振動子４０ｄも有している。振動子４０ｄは、演出ボタン用基板４０ｃに配線接続され、ボタンユニットカバー部材４４ａの収容部（不図示）内に収容されている。振動子４０ｄとしては、小型振動モータ、圧電振動子等が適用される。演出の態様により、また、演出ボタン４０のボタン操作に基づいて振動子４０ｄが振動するようになっており、その振動がボタンユニットカバー部材４４ａや演出ボタン４０を介して遊技者の指に伝達される。遊技者は振動により一層の興趣を得ることができる。
【０１３１】
＜Ｄ−２．球皿の形状＞
図５４は、球皿１３を上方から見た平面図である。図５５は、球皿１３の下球皿１４ｂを上方から見た平面図である。図４９，５０に示すように、球皿１３は、上球皿１４ａ及び下球皿１４ｂを有している。球皿１３は、前枠９の前方かつガラス枠１２の下方に配置される。球皿１３は、その左側端部近傍において上下方向を軸として前枠９に揺動支持され、前枠９に対して前方開閉可能とされている。
【０１３２】
上球皿１４ａは、球皿１３のベース部１３ａから前方に膨出形成されている。その膨出部の上面側に上貯留凹部１４ｄが凹設され、上貯留凹部１４ｄ内に遊技球２３が貯留されるようになっている。上球皿通路１４０からの遊技球２３は、左側後方のベース部１３ａに開口された通路出口１４１から上貯留凹部１４ｄ内に流入する。流入した遊技球２３は、上貯留凹部１４ｄの周壁１４ｃ後面に沿って上貯留凹部１４ｄの前方寄りを右側に移動する。周壁１４ｃの後面は、左側から左右方向中央近傍にかけて前方に凸の形状とされているが、その中央近傍の切返し部１４ｅから右側にかけて後方に凸の形状に急激に変化している。移動してきた遊技球２３は、この切返し部１４ｅに衝突していったん速度が低減され、周壁１４ｃの後面に沿って演出ボタン４０近傍及びＣＲ操作ボタン４３近傍を通過する。
【０１３３】
ＣＲ操作ボタン４３近傍から、周壁１４ｃの後面は滑らかに再び前方に凸の形状となり、遊技球２３はＵターンをするように方向を転換する。その後、遊技球２３はベース部１３ａ前面に沿って右から左へと移動する。ベース部１３ａの前面における上貯留凹部１４ｄの底面は、右から左にかけて徐々に低くなっており、最終的に通路出口１４１の下方に潜り込んでいる。そして、遊技球２３は、発射ユニットＣへと送られるようになっている。なお、上球皿１４ａの左側に球抜きボタン１４ｇが配置されている。球抜きボタン１４ｇを押すことにより、上球皿１４ａ内の遊技球２３を下球皿１４ｂへと移動させることができるようになっている。
【０１３４】
下球皿１４ｂも、上球皿１４ａと同様にベース部１３ａから前方に膨出形成されている。その膨出部の上面側に下貯留凹部１４ｆが凹設され、下貯留凹部１４ｆ内に満杯通路１７２からの遊技球２３が貯留されるようになっている。満杯通路１７２からの遊技球２３は、ベース部１３ａに開口された通路出口１７２ａを介して下貯留凹部１４ｆに流入する。通路出口１７２ａは、下貯留凹部１４ｆ内の左右方向略中央位置に形成されている。下貯留凹部１４ｆの底面にはシャッター部材により開閉可能な球排出孔１４ｈが形成されている。下球皿１４ｂの周壁前面に球排出レバー１４ｊが配置されており、このレバー操作によって球排出孔１４ｈのシャッター開閉が可能となっている。
【０１３５】
＜Ｄ−３．球皿の装飾発光＞
図５６は、球皿１３の斜視図である。図５６においては、上球皿１４ａ及び下球皿１４ｂの周壁の一部を構成するカバー部材及びレンズ部材を非表示とし、その内部を示している。
【０１３６】
上球皿１４ａの周壁前面には、右側に上側右電飾基板（上球皿右側前面電飾基板）４４ｂ、左側に上側左電飾基板（上球皿左側前面電飾基板）４４ｃが配置されている。上側右電飾基板４４ｂは操作ボタンユニット４４の一部としてボタンユニットカバー部材４４ａに取り付けられている。この上側右電飾基板４４ｂ及び上側左電飾基板４４ｃは、遊技の状況に応じて演出光を発光する発光手段としてのＬＥＤ４６を各々多数実装している。ＬＥＤ４６は、各電飾基板４４ｂ，４４ｃの前面側に実装され、演出光を主として前方に向けて照射することができるようになっている。遊技の状況に応じてＬＥＤ４６が発光、点滅、色変化等を演出表示することにより、遊技者に興趣を与えている。
【０１３７】
下球皿１４ｂの周壁には、右側に下側右電飾基板（下球皿右側電飾基板）４４ｄ、中央に下側中央電飾基板（下球皿中央側電飾基板）４４ｅ、左側に下側左電飾基板（下球皿左側電飾基板）４４ｆが配置されている。下側右電飾基板４４ｄ、下側中央電飾基板４４ｅ及び下側左電飾基板４４ｆも、遊技の状況に応じて演出光を発光する発光手段としてのＬＥＤ４６を各々多数実装している。下側右電飾基板４４ｄ、下側中央電飾基板４４ｅ及び下側左電飾基板４４ｆは、各々実装面を上下方向に向けて配置されており、ＬＥＤ４６は上面側に実装され、演出光を主として上方から前方に向けて照射することができるようになっている。遊技の状況に応じてＬＥＤ４６が発光、点滅、色変化等を演出表示することにより、遊技者に興趣を与えている。
【０１３８】
＜Ｄ−４．上球皿の流路カバー＞
図５７は、球皿１３の斜視図である。図５７（ａ）は、上球皿１４ａの流路カバー４６を閉鎖した状態を示し、図５７（ｂ）は、流路カバー４６を開放した状態を示す。
【０１３９】
流路カバー４６は、底面部４６ａと立設壁４６ｂとを有している。流路カバー４６は、通路出口１４１の前方に配置され、通路出口１４１から上球皿１４ａ内に流入した遊技球２３を底面部４６ａにより受けて上球皿１４ａの周壁１４ｃ側（前方側）へと案内する機能を有している。流路カバー４６の閉鎖状態においては、底面部４６ａの上面と上球皿１４ａの上貯留凹部１４ｄの底面とは滑らかに接続されるようになっている。
【０１４０】
上球皿１４ａは、通路出口１４１から上貯留凹部１４ｄに流入した遊技球２３を周壁１４ｃ付近において下がり傾斜しつつ右方向へ案内する右案内通路部１４ｍと、右案内通路部１４ｍを通過後の遊技球２３をＵターンさせてベース部１３ａ付近において下がり傾斜しつつ左方向へ案内する左案内通路部１４ｎとを有している。左案内通路部１４ｎは、遊技球２３を通路出口１４１の下方位置を通って発射ユニットＣへと案内している。左案内通路部１４ｎは、流路カバー４６の下方へと潜り込むようになっており、流路カバー４６が左案内通路部１４ｎのトンネル形状を構成している。その結果、左案内通路部１４ｎの下流部分は流路カバー４６の下側となり、流路カバー４６の閉鎖状態においては、左案内通路部１４ｎの下流部分１４ｐにアクセスすることが困難になっている。
【０１４１】
流路カバー４６の下面４６ｃは、左案内通路部１４ｎのトンネル上部を構成し、左案内通路部１４ｎを通過する遊技球２３を整列させて、球詰まり防止効果を発揮している。流路カバー４６を開放すると、左案内通路部１４ｎの下流部分１４ｐが露出する。この下流部分１４ｐには接地された金属プレートが配置されて遊技球２３の帯電防止に貢献している。下流部分１４ｐの金属プレートには、遊技球２３によって多くの塵埃が付着する。流路カバー４６が開放可能となっているので、下流部分１４ｐを露出することができ、この金属プレートの清掃が容易となっている。流路カバー４６の開閉は、左端部近傍に配置された回転軸部４６ｄを中心に揺動回転することにより実現する。
【０１４２】
流路カバー４６を開放する場合は、立設壁４６ｂを手で把持することにより持ち上げて行う。立設壁４６ｂの上端の一部は、ガラス枠１２及び球皿１３の前枠９に対する閉鎖状態において、ガラス枠１２の下面の直下方に位置している。そのため、ガラス枠１２の閉鎖状態においては、立設壁４６ｂの上端の一部がガラス枠１２の下面に干渉して流路カバー４６が開放できないようになっている。メンテナンス時等の際にガラス枠１２を開放した場合には、ガラス枠１２の下面が立設壁４６ｂの上端の上方に不在となり、流路カバー４６の開放が可能となる。
【０１４３】
＜Ｅ−１．発射ユニットの構造＞
図５８は、前枠９における発射ユニットＣ近傍を拡大した図である。図５８（ａ）は、発射機カバー４８ａを装着した状態を示し、図５８（ｂ）は、発射機カバー４８ａを外した状態を示す。
【０１４４】
発射ユニットＣは、上球皿１４ａから送られた遊技球２３を遊技盤の発射通路に向けて弾球発射するためのものである。発射ユニットＣは、前枠９の前面側であって左側下方近傍に配置されている。この発射ユニットＣは、いわゆる垂直発射方式のものである。発射ユニットＣは、通常は発射機カバー４８ａによってカバーされている。発射機カバー４８ａは、発射ユニットＣの発射槌４８ｂを覆っており、開口部４８ｃが形成されている。開口部４８ｃからは遊技球２３の保持部４８ｄが臨めるようになっている。発射機カバー４８ａと発射ユニットＣとの前後隙間を狭くしているので、開口部４８ｃから遊技球２３が発射ユニットＣ内部に入り込まないようになっている。発射機カバー４８ａは、その左端近傍に軸支部４８ｅ、右端近傍に係止部４８ｆを有している。軸支部４８ｅを回転軸として前方に揺動開閉可能とされ、閉鎖時に係止部４８ｆによって前枠９に係止されるようになっている。
【０１４５】
発射機カバー４８ａの内部（後方）には、発射ユニットＣの発射槌４８ｂ、保持部４８ｄ、ソレノイド４８ｇ、緩衝部材４８ｈが配置され、保持部４８ｄの上方には、上方に向けて左に傾斜する発射レール９ｑが配置されている。上球皿１４ａから球送り装置（不図示）を介して１球ずつ送られた遊技球２３は保持部４８ｄによって１球ずつ保持されるようになっている。保持部４８ｄは、遊技球２３が通過可能である保持通路４８ｊと、遊技球２３の落下を防止して遊技球２３を保持する載置部４８ｋとを有する。保持通路４８ｊは載置部４８ｋの上方に位置し、発射された遊技球２３を発射レール９ｑに案内する。
【０１４６】
発射槌４８ｂは、載置部４８ｋに保持された遊技球２３を下方から上方に向けて弾球発射するためのハンマー部材であって、回転軸４８ｍを中心に滑らかに回転可能とされている。発射槌４８ｂは磁性材料で構成され、ソレノイド４８ｇのオンオフによって吸着／脱離され、上下に回転する。ソレノイド４８ｇがオン（通電）されると発射槌４８ｂが吸着され、載置部４８ｋに保持された遊技球２３が打点４８ｎによって弾球される。ソレノイド４８ｇのオフ（電源断）によって発射槌４８ｂは脱離して下方に回転落下するが、緩衝部材４８ｈが発射槌４８ｂの下方移動を受け止めて衝撃を吸収しつつ停止させる。
【０１４７】
打点４８ｎによって弾球発射された遊技球２３は、保持通路４８ｊから発射レール９ｑへと至り、遊技盤の発射通路へと上昇する。そして、遊技領域の上方へと案内されて遊技領域を流下する。なお、遊技盤の発射通路内で失速し、逆行した遊技球（ファール球）は、発射レール９ｑへ戻らず、左側に隣接配置されるファール球回収口へと流入する。
【０１４８】
なお、このパチンコ機２においては、アルミ積層タイプのソレノイド４８ｇが用いられている。アルミ積層タイプのソレノイド４８ｇを用いることにより、焼結タイプのソレノイドに比較してスラッジの発生及び蓄積を低減することができる。スラッジによる発射槌４８ｂの動作不良や動作不安定（発射強度ばらつき）を防止することができると共に遊技球２３の汚れ防止にも寄与する。
【０１４９】
＜Ｅ−２．発射装置ハンドルの構造＞
図５９は、球皿１３の右端近傍に配置された発射装置ハンドル１５を拡大した図である。図６０は、発射装置ハンドル１５の分解図である。
【０１５０】
発射装置ハンドル１５は、遊技球２３の弾球発射のオンオフ、発射強度の調整、発射の一時停止を実現するためのものである。発射装置ハンドル１５は、カバー部材１５ａ、回転ハンドル１５ｂ、球止めスイッチ１５ｃ、軸部１５ｄを有し、内部に捩りバネ１５ｅ、ストッパー１５ｆ、オンオフスイッチ１５ｇ、回転角度センサ１５ｈが配置されている。
【０１５１】
カバー部材１５ａは発射装置ハンドル１５の最前面に配置され、意匠造形が施されて装飾部材としての機能を発揮し、発射装置ハンドル１５内部をカバーする。回転ハンドル１５ｂは、遊技者の操作によって回転軸１５ｊ周りに回転するものであり、遊技球２３の発射のオンオフと発射強度の調整とを行うものである。回転ハンドル１５ｂを右回りに回転させると発射強度が強くなるようになっている。回転ハンドル１５ｂの係止部と軸部１５ｄの係止部とに亘って捩りバネ１５ｅが係止されており、回転ハンドル１５ｂを左回り方向に付勢している。したがって、回転ハンドル１５ｂを右回りに回転させた状態から遊技者が手を離すと、回転ハンドル１５ｂは左回りに回転してストッパー１５ｆに当接し、初期位置、すなわち最も発射強度の弱い位置となる。捩りバネ１５ｅの付勢力に抗して回転ハンドル１５ｂを右回りに回転させると発射強度が強くなる。回転ハンドル１５ｂの回転角度が回転角度センサ１５ｈにより検出されるようになっている。回転ハンドル１５ｂには、遊技者が把持し易いように把持用突起１５ｋが突出形成されている。なお、回転ハンドル１５ｂには、タッチセンサ（不図示）が接続されており、遊技者が回転ハンドル１５ｂを把持しているか否かが静電容量に基づき検出されるようになっている。遊技者が回転ハンドル１５ｂを把持していないことが検出されると、遊技球２３の発射がオフとなる。
【０１５２】
球止めスイッチ１５ｃは、遊技球２３の発射を一時的に停止する場合に操作するスイッチである。球止めスイッチ１５ｃは、前方（カバー部材１５ａ側）から見て略八時の位置に配置されており、遊技者が回転ハンドル１５ｂを右手で把持した際に親指で無理なく操作できる位置となっている。遊技者が回転ハンドル１５ｂから手を離すと発射はオフとなるが、回転ハンドル１５ｂが初期位置に戻ってしまうので遊技者が調整した回転角度も維持されなくなってしまう。球止めスイッチ１５ｃは、遊技者が回転ハンドル１５ｂを把持して所定回転角度に維持したままの状態で、一時的に発射を停止させるためのスイッチである。球止めスイッチ１５ｃを押すと、オンオフスイッチ１５ｇの検出片が押し込まれて球止めスイッチ１５ｃの操作が検出されるようになっている。
【０１５３】
回転ハンドル１５ｂの裏面側にはギア部（不図示）が形成されている。回転角度センサ１５ｈもギア部１５ｍを有している。このギア部１５ｍと回転ハンドル１５ｂのギア部とが歯合することにより、回転角度センサ１５ｈが回転ハンドル１５ｂの回転角度を検出することができるようになっている。
【０１５４】
＜Ｅ−３．発射強度ボリューム＞
図６１は、発射装置ハンドル１５内の回転角度センサ１５ｈ近傍を拡大した図である。
【０１５５】
回転軸１５ｊを有する軸部材１５ｎは、回転ハンドル１５ｂと共に連れ回りするようになっている。その軸部材１５ｎの裏面側にはギア部１５ｐが形成され、回転角度センサ１５ｈのギア部１５ｍと歯合している。回転角度センサ１５ｈは、センサ本体としてのボリューム（可変抵抗器）を有しており、ギア部１５ｍの回転によってボリュームの抵抗値が変化するようになっている。回転ハンドル１５ｂと共に軸部材１５ｎが回転すると、ギア部１５ｐ，１５ｍを介してその回転角度がボリュームにて検出されて抵抗値が設定されるようになっている。設定された抵抗値に応じてパチンコ機２の払出制御基板（制御手段の一部）において遊技球２３の発射強度が調整される。例えば、抵抗値が大きい場合に発射強度が弱く、抵抗値が小さい場合に発射強度が強くなるように、抵抗値と発射強度とが反比例の関係となるように調整されてもよい。
【０１５６】
図６２は、横軸を回転ハンドル１５ｂの回転角度、縦軸を発射ユニットＣによる発射強度として、回転角度と発射強度との関係を示したグラフである。回転ハンドル１５ｂの回転角度は、遊技者が手を離した状態、すなわち初期状態で０°である。図に示すように、このパチンコ機２においては、回転ハンドル１５ｂの回転角度が所定角度Ｘを超えると、急に発射強度が強くなるように設定されている。具体的には、回転角度が所定角度Ｘとなるまでは回転角度と発射強度との関係が傾きＸ１の比例関係となっている。回転角度が所定角度Ｘよりも大きい場合には、回転角度と発射強度との関係がＸ１よりも大きい傾きＸ２の比例関係となっている。これにより、例えば右打ちが必要な場合に回転ハンドル１５ｂを所定角度Ｘよりも大きい回転角度で回せば、確実に安定的に充分高い発射強度での球発射を行うことができ、回転ハンドル１５ｂを回しても発射強度が思ったように強くならない等の遊技者の不満を解消することができる。
【０１５７】
なお、例えば、発射強度と抵抗値とは反比例の関係となる。また、センサ本体としては、ボリューム（可変抵抗器）だけでなく、ロータリーエンコータ等の角度センサが用いられる場合もある。この場合、センサ本体からの検出角度値がパチンコ機２の払出制御基板（制御手段の一部）に送信され、払出制御基板側で検出角度値に応じた発射強度が設定される。
【０１５８】
＜Ｆ−１．球タンク＞
図６３は、裏セットＷの上部に配置された球タンク５１近傍を拡大した図である。図６３は、後方から斜視した図である。図６４（ａ）は、容量調整部材５１ａの背面図であり、図６４（ｂ）は、容量調整部材５１ａの側面図である。
【０１５９】
球タンク５１は、前枠９の背面側であって上部近傍に位置し、島設備から供給される遊技球２３を貯留する。球タンク５１に貯留された遊技球２３は、球タンク５１に連通された球タンクレール５２を通って賞球払出ユニット５０へと案内される。
【０１６０】
球タンク５１は、概略直方体形状を呈しており、上面が開口している。この上面開口から遊技球２３が球タンク５１内に供給されて貯留される。球タンク５１には、容量調整部材５１ａがセットされている。容量調整部材５１ａは、球タンク５１内に貯留できる遊技球２３の容量を調整するためのものである。
【０１６１】
容量調整部材５１ａは、壁面部５１ｂ、前方係止部５１ｃ、後方係止部５１ｄを有して大略構成されている。壁面部５１ｂは実質的に立設する平面壁であり、球タンク５１内に貯留された遊技球２３が溢れるのを防止する。前方係止部５１ｃは下向きのフック形状となっており、球タンク５１の前方壁５１ｅに引っ掛けることができるようになっている。前枠９の背面側には、左右方向に沿って数箇所の係合部９ｒが略Ｌ字状に後方に突出形成されている。この係合部９ｒが前方係止部５１ｃと当接することにより、容量調整部材５１ａの前方側での右方向及び上方向への移動が規制される。前方壁５１ｅの表面（球タンク５１の内面側）には、接地された金属板５１ｐが配置されている。球タンク５１内の遊技球２３が金属板５４に接触することにより帯電防止が図られている。
【０１６２】
後方係止部５１ｄも下向きのフック形状となっており、球タンク５１の後方壁５１ｆに引っ掛けることができるようになっている。後方係止部５１ｄは、更に上向きフック部５１ｇと突部５１ｈとを有している。上向きフック部５１ｇは、球タンク５１の後方壁５１ｆの上端において左右方向に沿って更に後方に突出する突出リブ５１ｊに係合することにより、容量調整部材５１ａの上方移動を規制している。上向きフック部５１ｇと突部５１ｈとは、間隔Ｇを空けて前方に向けて突出形成されている。球タンク５１の後方壁５１ｆには、係合部９ｒの位置に対応するように、左右方向に沿って数箇所の縦リブ５１ｋが後方に突出形成されている。縦リブ５１ｋのリブ厚さは間隔Ｇ以下とされている。上向きフック部５１ｇと突部５１ｈとの間隔に縦リブ５１ｋが嵌まり込むことにより、容量調整部材５１ａの後方側での左右方向移動が規制される。
【０１６３】
容量調整部材５１ａを最も右に寄せてセットすると、球タンク５１の容量は最大となる。球タンク５１に最も多量の遊技球２３を貯留することができる。容量調整部材５１ａを左側に寄せてセットすると、球タンク５１の容量が減少するように調整することができる。球タンク５１の容量が過度に大きいと、一部の遊技球２３が球タンク５１の隅に滞留してしまって島設備とパチンコ機２とを循環せず、その結果汚れの少ない遊技球２３と汚れの多い遊技球２３とが生じて汚れ具合がアンバランスとなる。球タンク５１の容量を適宜調整して減少させることにより、すべての遊技球２３が一様に循環され、汚れ具合のアンバランスを防止することができる。
【０１６４】
球タンク５１の左側には球タンクレール５２が連通配置されている。球タンク５１の下流位置（左側位置）であって球タンクレール５２の直前位置には、押さえ板５１ｍが取り付けられている。押さえ板５１ｍは、球タンク５１の上面開口の一部を覆うように、球タンク５１の上側に固定されている。押さえ板５１ｍは、球タンク５１から球タンクレール５２へと至る通路中で通路高さを規制している。球タンク５１内に溜まっている遊技球２３が球タンクレール５２へと流下する前に、積み重なった状態の遊技球２３の高さを均し、球タンクレール５２における球詰まりの発生を予防する。
【０１６５】
＜Ｆ−２．球タンクレール＞
図６５及び図６６は、裏セットＷの上部に配置された球タンクレール５２近傍を拡大した図である。図６５は、通常使用状態を後方から斜視した図である。図６６は、メンテナンス状態を示し、球タンクレール５２から上流側整列部材５３ａを取り外した状態、下流側整列部材５３ｂを上に開いた状態、球止め部材５３ｃを下に下げた状態の図である。図６７は、上流側整列部材５３ａの外観斜視図である。
【０１６６】
球タンクレール５２は、球タンク５１からの遊技球２３を賞球払出ユニット９０へと案内するための球通路である。球タンクレール５２の球入口近傍においては、前リブ５２ａ、中リブ５２ｂ、後リブ５２ｃの３つのリブが通路に沿って立設配置されており、遊技球２３が４列で通過するようになっている。球タンクレール５２は、通路途中のテーパ部５２ｄにおいて幅が絞られている。このテーパ部５２ｄ近傍において、前リブ５２ａ及び後リブ５２ｃが終了し、中リブ５２ｂのみが下流側にまで延長している。そして、４列で通路を通過してきた遊技球２３が、テーパ部５２ｄによって２列通過とされる収れん構造を呈している。
【０１６７】
上流側整列部材５３ａは、テーパ部５２ｄの上流側に球通路を覆うように配置され、通路が４列から２列に変化する際の遊技球２３の積み重なりや浮きによる球詰まりを防止している。上流側整列部材５３ａは両側にフック部５３ｍを有し、球タンクレール５２の前後面を挟持するように取り付けられている。上流側整列部材５３ａの先端テーパ部５３ｄは、三角形状に形成されており、球タンクレール５２のテーパ部５２ｄに対応するように取り付けられる。先端テーパ部５３ｄは、４列の通路を２列に収れんする際の通路壁を構成している。上流側整列部材５３ａの上面には、上面フック５３ｅが形成されている。上面フック５３ｅは下流側整列部材５３ｂを着脱可能に係合するものである。
【０１６８】
下流側整列部材５３ｂは、上流側整列部材５３ａの直下流位置に球通路を覆うように配置される。下流側整列部材５３ｂは、回転軸５３ｆを中心に回転可能に球タンクレール５２に取り付けられている。下流側整列部材５３ｂの下面５３ｇが、テーパ部５２ｄからその下流側にかけての通路上面を構成し、遊技球２３の積み重なりや浮きによる球詰まりを防止している。下流側整列部材５３ｂの端部５３ｈは、上流側整列部材５３ａの上面フック５３ｅに着脱可能とされている。通常使用状態（遊技状態）では、図６５に示すように、端部５３ｈが上面フック５３ｅに係止されて下流側整列部材５３ｂは閉じている。メンテナンス等の際には、図６６に示すように、上面フック５３ｅを操作することによって端部５３ｈを解除し、下流側整列部材５３ｂを上に開くことができる。
【０１６９】
球止め部材５３ｃは、下流側整列部材５３ｂより更に下流側に配置されている。球止め部材５３ｃは、賞球払出ユニット９０のメンテナンス時等の際に球タンクレール５２を通過する遊技球２３を停止させ、遊技球２３の零れ落ちを防止するためのものである。球タンクレール５２に、回転軸５３ｊを中心に回転可能に取り付けられ、図６５に示すように、通常使用状態においては上に上げられて遊技球２３の通過を許容している。球止め部材５３ｃは２つのストッパ片５３ｋを有している。メンテナンス時等の際に、球止め部材５３ｃを下に下げると、２つのストッパ片５３ｋが各々２列の球通路内に侵入して遊技球２３の通過を遮断するようになっている（図６６参照）。
【０１７０】
なお、球タンクレール５２の後面には、２つのハーネスフック５２ｅが突出形成されている。２つのハーネスフック５２ｅは相互に逆向きのＬ字形状を呈しており、協働して保持面５２ｆ側で確実にハーネスを保持することができるようになっている。ハーネスフック５２ｅの保持面５２ｆの裏側には補強のためのリブ５２ｇが形成されている。リブの頂部５２ｈは滑らかにＲ形状とされているので、ハーネス引き回しの際のハーネスの損傷が防止されている。
【０１７１】
＜Ｇ−１．賞球払出ユニット＞
図６８は、裏セットＷを背面側から見た図である。図６９は、裏セットＷから賞球払出ユニット９０を取り外した状態の図である。
【０１７２】
裏セットＷは、球タンク５１や球タンクレール５２を有する上部ユニット９１、上部通路ユニット９２、賞球払出ユニット９０、下部通路ユニット９３、上球皿通路１４０や満杯通路１７２を有する下部ユニット９４を有して大略構成されている。これらは各々ユニットとして前枠９の背面側に取り付けられる。各ユニット９０〜９４は、前枠９に取り付けられた状態で連通する球通路を構成する。したがって、上部ユニット９１からの遊技球２３が、上部通路ユニット９２、賞球払出ユニット９０、下部通路ユニット９３、下部ユニット９４を経て上球皿１４ａや島設備への排出経路へと送られるようになっている。
【０１７３】
賞球払出ユニット９０は、上部通路ユニット９２の下方に位置しており、上部通路ユニット９２から流下した遊技球２３を受け入れる。図７０は、上部通路ユニット９２及び賞球払出ユニット９０における球通路を示す図である。図７０においては、上部通路ユニット９２及び賞球払出ユニット９０の通路カバーを取り外して内部の球通路を視認可能としている。
【０１７４】
上部通路ユニット９２の球通路９２ａは、前後方向に数回折り返しつつ遊技球２３を賞球払出ユニット９０へと誘導している。球通路９２ａが前後方向に折り返しているので、球通路９２ａ内に多数の遊技球２３が滞留した場合でも、遊技球２３相互へ加わる球圧が軽減されている。
【０１７５】
賞球払出ユニット９０は、上部通路ユニット９２と下部通路ユニット９３との間に着脱可能に装着される。賞球ユニットの取付け方法は以下の通りである。まず、図６９の状態から、賞球払出ユニット９０の球出口９０ａを下部通路ユニット９３の球入口９３ａへと差し込む。下部通路ユニット９３の球入口９３ａは、略四角形状に上方に突出している。賞球払出ユニット９０の球出口９０ａも、略四角形状に下方に突出している。賞球払出ユニット９０の球出口９０ａにおける突出部よりも下部通路ユニット９３の球入口９３ａにおける突出部の方が大きく形成されている。そのため、球出口９０ａにおける突出部が球入口９３ａにおける突出部の中に嵌まり込むようになっている。球出口９０ａが四方において球入口９３ａによって拘束されるので、賞球払出ユニット９０の下方部分は、前後左右方向において移動が規制される。賞球払出ユニット９０の球出口９０ａが下部通路ユニット９３の球入口９３ａに差し込まれることにより、賞球払出ユニット９０から払い出された遊技球（賞球）２３が下部通路ユニット９３内へと流下可能となる。
【０１７６】
賞球払出ユニット９０の球入口９０ｂ近傍には左右両側にガイド部９０ｃが突出形成されている。上部通路ユニット９２の球出口９２ｂ近傍には突状レール９２ｃが左右両側に突出形成されている。両側のガイド部９０ｃを両側の突状レール９２ｃに沿わせつつ、賞球払出ユニット９０の上方部分を前方へと押し込む。ここにおいて、上部通路ユニット９２の着脱レバー９２ｄは後上方へ持ち上げられて解除状態となっている。賞球払出ユニット９０の解除レバー９０ｄも後方から見て右回り（図６９中矢印α方向）に回転されて解除状態となっている。
【０１７７】
賞球払出ユニット９０が前枠９の背面側に当接するまで押し込まれると、上部通路ユニット９２の球出口９２ｂの直下に賞球払出ユニット９０の球入口９０ｂが位置する。この位置関係において、上部通路ユニット９２からの遊技球２３が賞球払出ユニット９０内へと流下可能となる。ここで、上部通路ユニット９２の着脱レバー９２ｄを前下方へ押し下げて取付け状態とする。着脱レバー９２ｄの内面側９２ｅの一部は、球出口９２ｂと球入口９０ｂとを接続する球通路として機能する。取付け状態の着脱レバー９２ｄの前方には、球入口９０ｂ近傍に上方に突出形成された規制リブ９０ｅが位置している。
【０１７８】
着脱レバー９２ｄを取付け状態とした際、賞球払出ユニット９０の解除レバー９０ｄを−α方向に回転させ、ロック状態とする。ロック状態では、解除レバー９０ｄが着脱レバー９２ｄの後方に位置し、着脱レバー９２ｄの後上方移動を阻止している。したがって、着脱レバー９２ｄを解除状態にすることができないようになっている。
【０１７９】
装着状態における賞球払出ユニット９０の上方部分は、ガイド部９０ｃと突状レール９２ｃとの協働によって、左右方向の移動が規制されている。また、賞球払出ユニット９０の前方移動は前枠９背面によって規制され、賞球払出ユニット９０の後方移動は、規制リブ９０ｅの後方に着脱レバー９２ｄが位置することによって規制される。
【０１８０】
このように、装着状態においては、賞球払出ユニット９０の球出口９０ａ近傍においても球入口９０ｂ近傍においても、賞球払出ユニット９０の前後左右方向の移動が規制されている。なお、賞球払出ユニット９０を取り外す際は、上記の手順と逆の手順で行えばよい。すなわち、解除レバー９０ｄをα方向に回転させ、着脱レバー９２ｄを後上方に持ち上げ、賞球払出ユニット９０の上部近傍を後方へスライド移動させ、賞球払出ユニット９０の下部近傍を上方へ引き抜く、という手順で行えばよい。
【０１８１】
図７１は、賞球払出ユニット９０のモータ駆動伝達構造を示す図である。図７１においては、賞球払出ユニット９０を右後方から見ており、賞球払出ユニット９０の通路カバーを取り外して内部のモータ駆動伝達構造９５を視認可能としている。
【０１８２】
この賞球払出ユニット９０においては、モータ駆動伝達構造にいわゆるスリム化ギアトレイン構造が採用され、駆動モータ９５ａの動力が、中継ギア９５ｃを介して球送り用のスプロケット９５ｅへと伝達されている。より具体的には、駆動モータ９５ａのモータ軸に所定歯数の駆動ギア９５ｂが取り付けられ、駆動ギア９５ｂと中継ギア９５ｃとが歯合している。中継ギア９５ｃの歯数は所定歯数よりも多くされている。スプロケット９５ｅと同軸に駆動ギアと同歯数の所定歯数である従動ギア９５ｄが取り付けられており、中継ギア９５ｃと歯合している。
【０１８３】
駆動ギア９５ｂ、中継ギア９５ｃ、従動ギア９５ｄが上下に並んで配置されているので、構造が単純であり、また、必要なスペースも小さい。駆動ギア９５ｂの歯数と従動ギア９５ｄの歯数とを一致させているので、駆動モータ９５ａの回転数とスプロケット９５ｅの回転数とが一致し、賞球払出の制御の共通化や単純化に寄与する。
【０１８４】
スプロケット９５ｅは周上に３つの球保持部を有しており、１回転で３個の遊技球２３を払い出すことができる。この賞球払出ユニット９０には、２つのスプロケット９５ｅを有しているので、１回転で合計６個の遊技球２３を排出する。スプロケット９５ｅの回転数と駆動モータ９５ａの回転数とが同期しているので、駆動モータ９５ａの１回転で遊技球２３が６個払い出されることとなる。
【０１８５】
駆動ギア９５ｂには、中継ギア９５ｃの他に、所定歯数のセンサギア９５ｆも歯合している。駆動ギア９５ｂとセンサギア９５ｆとは歯数が同じであるので同期回転する。センサギア９５ｆには、周上に６つのセンサ孔９５ｇが形成されており、そのセンサ孔９５ｇの通過をフォトセンサ９５ｈが検出するようになっている。６つのセンサ孔９５ｇはスプロケット９５ｅによる遊技球２３の払出に対応している。したがって、フォトセンサ９５ｈがセンサ孔９５ｇの通過を検出するごとに、スプロケット９５ｅが遊技球２３を賞球として払い出していることを確認することができる。
【０１８６】
このフォトセンサ９５ｈは、センサ基板を有していない。センサ基板は、賞球払出ユニット９０外に配置されており、フォトセンサ９５ｈとセンサ基板との間はコネクタケーブルにより接続されている。賞球払出ユニット９０内部にフォトセンサ用のセンサ基板を有していないので、賞球払出ユニット９０を各種のパチンコ機２に流用して使用することができる。
【０１８７】
なお、図７０及び７１に示すように、スプロケット９５ｅとその回転軸９５ｊとは樹脂により一体成形されており、回転軸９５ｊは、中空構造となっている。回転軸９５ｊが中空構造となっているので、スプロケット９５ｅの軽量化を実現している。スプロケット９５ｅの回転／停止のレスポンスを向上させることができる。
【０１８８】
＜Ｇ−２．上部通路ユニット＞
図６９に示すように、上部通路ユニット９２は、上部ユニット９１の球タンクレール５２と賞球払出ユニット９０とを接続するためのものである。上部通路ユニット９２は、上部ユニット９１からの遊技球２３を球入口９２ｆから受け入れ、球通路９２ａを通って球出口９２ｂまで案内し、球出口９２ｂから賞球払出ユニット９０へと流下させる。
【０１８９】
球通路９２ａは、球入口９２ｆから球出口９２ｂまでの通路であり、前後方向に繰り返し折り返すように形成されている。球通路９２ａが鉛直方向に延びる通路の場合、通路内に遊技球２３が滞留すると、上方の遊技球２３の重量が殆どそのまま下方の遊技球２３に加重される。したがって、最下方の遊技球２３には多大な球圧が加わる。
【０１９０】
しかしながら、この上部通路ユニット９２の球通路９２ａは、前後方向に何度も折り返しているので、通路の多くが傾斜通路となっている。そのため、通路内に遊技球２３が滞留した場合でも、最下方の遊技球２３に過大な球圧が加わることなく、球圧軽減が図られている。
【０１９１】
なお、賞球払出ユニット９０における球入口９０ｂからスプロケット９５ｅまでの上流通路９０ｆも、球通路９２ａと同様に前後方向に繰り返し折り返す構成とされており、球圧軽減が図られている。
【０１９２】
＜Ｇ−３．球抜き構造＞
図７２は、賞球払出ユニット９０の解除レバー９０ｄ近傍の内部構成を拡大した図である。（ａ）は、解除レバー９０ｄのロック状態であり、（ｂ）は、解除レバー９０ｄの解除状態である。
【０１９３】
解除レバー９０ｄは、回転軸９０ｇを中心に±α方向に回転する。回転軸９０ｇには突部９０ｈが形成されている。突部９０ｈは、ロック状態において揺動通路９０ｊの支持部９０ｋを支持して揺動通路９０ｊの揺動を禁止し、解除状態において揺動通路９０ｊの支持部９０ｋの支持を解除して揺動通路９０ｊの揺動を許容する。
【０１９４】
揺動通路９０ｊは、賞球払出ユニット９０の上流通路９０ｆの一部を構成する球通路である。揺動通路９０ｊは、支点９０ｍを中心に±β方向に揺動可能となっている。通常使用状態、すなわち解除レバー９０ｄのロック状態においては、図７２（ａ）に示すように、突部９０ｈにより支持部９０ｋが支持される。揺動通路９０ｊは−β方向に揺動した状態で保持され、＋β方向への揺動が禁止される。このとき、揺動通路９０ｊの通路出口９０ｎは、スプロケット９５ｅに向かう上流通路９０ｆの通路口９０ｐに対向し、遊技球２３がスプロケット９５ｅへと案内される。
【０１９５】
解除レバー９０ｄの解除状態においては、図７２（ｂ）に示すように、突部９０ｈによる支持部９０ｋの支持が解除される。そうすると、揺動通路９０ｊ内に滞留している遊技球２３の重量により、揺動通路９０ｊが＋β方向に揺動する。揺動通路９０ｊの通路出口９０ｎは、通路口９０ｐでなく、球抜き通路９０ｑへと遊技球２３を流下させる位置となる。そして、揺動通路９０ｊ内の遊技球２３はスプロケット９５ｅでなく球抜き通路９０ｑへと送られることとなる。なお、球抜き通路９０ｑは、賞球払出ユニット９０の前方に形成された前方空間９０ｒと前枠９の背面とにより構成される。
【０１９６】
この構成により、賞球払出ユニット９０を取り付けた通常状態（解除レバー９０ｄのロック状態）においては、球入口９０ｂから受け入れた遊技球２３をスプロケット９５ｅへと案内し、賞球として払い出すことができる。そして、メンテナンス時等において賞球払出ユニット９０を取り外す際、解除レバー９０ｄを＋α方向へ回転させると、自動的に揺動通路９０ｊ内の遊技球２３を球抜き通路９０ｑへと切り替えて案内し、パチンコ機２裏側の島設備へと遊技球２３を排出することができる。なお、揺動通路９０ｊ内に遊技球２３がなくなると、揺動通路９０ｊは自身の重量バランスにより自然と−β方向へ揺動し、通路出口９０ｎが再び通路口９０ｐに対向する。
【０１９７】
＜Ｇ−４．電波センサ＞
図７３は、裏セットＷの下部通路ユニット９３近傍の拡大図である。
【０１９８】
下部通路ユニット９３は、前枠９の背面側であって賞球払出ユニット９０の下方に位置している。下部通路ユニット９３は、賞球払出ユニット９０から払い出された賞球としての遊技球２３を下部ユニット９４に向けて案内する。そのため、下部通路ユニット９３は、上面側に球入口９３ａを有し、下面側に球出口（不図示）を有している。また、下部通路ユニット９３は、賞球払出ユニット９０の球抜き通路９０ｑから排出された遊技球２３を排出球受入口９３ｃから受け入れ、排出口９３ｄから排出する。
【０１９９】
下部通路ユニット９３には、電波センサ９３ｂが配置されている。電波センサ９３ｂは、賞球払出ユニット９０の通過センサ９５ｋの近傍に位置している。通過センサ９５ｋは、スプロケット９５ｅにより払い出された賞球としての遊技球２３の払出数をカウントするためのセンサである。すなわち、駆動モータ９５ａの駆動により賞球払出が開始され、通過センサ９５ｋによって所定数の賞球払出がカウントされると、駆動モータ９５ａの駆動が停止されて賞球払出が停止するようになっている。
【０２００】
電波センサ９３ｂは、不正行為者による不正電波を検出するためのものである。通過センサ９５ｋの近傍で不正電波が発せられると、その影響により通過センサ９５ｋが誤動作して所定数の賞球払出を正常にカウントできなくなる場合がある。そうすると、駆動モータ９５ａが所定数の賞球払出で停止せず、所定数を超えて賞球が払い出されてしまう場合がある。電波センサ９３ｂは、そのような不正電波の発信を検知することにより、通過センサ９５ｋの誤動作を予防し、不正な多量の賞球払出を防止する。
【０２０１】
そのため、電波センサ９３ｂは、電波検知面を前方（すなわち、遊技者方向）に向けて配置されている。また、通過センサ９５ｋに対する不正電波を検出するため、通過センサ９５ｋの近傍に配置されている。一方で、通過センサ９５ｋに供給される電源電圧自体が発する電波が電波センサ９３ｂにより不正電波として検出されないように、また、電波センサ９３ｂに供給される電源電圧自体が発する電波が通過センサ９５ｋに悪影響を与えないように、通過センサ９５ｋと電波センサ９３ｂとは一定距離離間して配置されている。なお、電波センサ９３ｂは、挿入孔９３ｅ内に挿入されて、弾性変形可能なフック９３ｆにより係止されて取り付けられている。フック９３ｆを解除することによって電波センサ９３ｂは下部通過ユニット９３に対して着脱可能とされており、メンテナンス時等の交換が容易となっている。
【０２０２】
＜Ｈ−１．下部ユニット＞
図７４は、裏セットＷの下部ユニット９４近傍の拡大図である。図７５は、下部ユニット９４を前枠９の背面側に装着した状態の図である。図７５（ａ）は、下部ユニット９４の閉鎖状態、図７５（ｂ）は、下部ユニット９４の開放状態を示す。
【０２０３】
下部ユニット９４は、賞球払出ユニット９０から払い出され、下部通路ユニット９３を通過した賞球としての遊技球２３を上球皿１４ａへと案内する。下部ユニット９４は、遊技球（賞球）２３を下部通路ユニット９３の球出口から受け取る球入口９４ａを有している。球入口９４ａから流入した遊技球２３は突出片８４に衝突して上球皿通路１４０を通り、通路出口１４１から上球皿１４ａへと至る。
【０２０４】
下部ユニット９４は、賞球払出ユニット９０から球抜きされて球抜き通路９０ｑを流下し、下部通路ユニット９３を通過した排出球としての遊技球２３を島設備側の球回収口へと案内する。下部ユニット９４は、下部通路ユニット９３の排出口９３ｄから排出された遊技球（排出球）２３を排出口９３ｄの下方に位置する後方排出通路８０で受け取り、島設備側の球回収口へと排出する。
【０２０５】
下部ユニット９４は、背面側に払出制御基板（制御手段の一部）１２０の払出制御基板ケース１２１を保持している。下部ユニット９４は、左端部近傍に位置する支軸部９４ｂによって前枠９に対して後方側に揺動開閉可能に軸支されている。パチンコ機２の通常使用状態においては下部ユニット９４は前方移動され、閉鎖状態となる（図７５（ａ）参照）。一方、下部ユニット９４を後方移動して開放状態とすれば、前枠９の背面側及び下部ユニット９４の前面側が容易に露出するので、メンテナンス性が向上する。
【０２０６】
図７６は、下部ユニット９４を上方から見た平面図である。図７７は、下部ユニット９４を前方から見た正面図である。図７８は、下部ユニット９４の斜視図である。図７９は、下部ユニット９４を取り外して前枠９の背面側における下方部分を拡大した図である。
【０２０７】
下部ユニット９４は、球抜きによって排出された遊技球２３をパチンコ機２の後方へと排出する後方排出通路８０を有している。後方排出通路８０は、下部通路ユニット９３の排出口９３ｄからの遊技球（排出球）２３を受け入れて右方向へと流下させる第１排出通路８０ａ、第１排出通路８０ａを通過後の遊技球２３を前方へと流下させる第２排出通路８０ｂ、第２排出通路８０ｂ通過後の遊技球２３を再び右方向へと流下させる第３排出通路８０ｃを有している。第３排出通路８０ｃ通過後の遊技球２３は、上下方向の第４排出通路８０ｄを通って後方排出口８０ｅから島設備側の球回収口へと排出される。
【０２０８】
第４排出通路８０ｄは、下部ユニット９４の右壁部９４ｃ、前枠９の背面、前枠９の背面右側に取り付けられた電源基板保持用の保持部材８５によって四方の通路面が構成される。すなわち、第４排出通路８０ｄの前面８０ｆは、前枠９の背面によって構成されている。第４排出通路８０ｄの右面８０ｇ及び後面８０ｈは保持部材８５によって構成されている。第４排出通路８０ｄの左面は下部ユニット９４の右壁部９４ｃによって構成されている。前面８０ｆ及び後面８０ｈが前後に波打って形成されているので、排出される遊技球２３の球速が減速され、円滑に排出される。
【０２０９】
第１排出通路８０ａの底面には、左右方向に延びる複数のリブ８０ｊが形成されている。リブ８０ｊ上を遊技球２３が通過するので、第１排出通路８０ａの底面に塵埃が溜まった場合でも、遊技球２３に汚れが付着しない。第１排出通路８０ａの終端には、遊技球２３を円滑に第２排出通路８０ｂへと案内するためのコーナーリブ８０ｋが形成されている。コーナーリブ８０ｋは、第１排出通路８０ａの角部においてＲ形状に形成され、上下に３段に亘って形成されている。また、第２排出通路８０ｂの終端にも、遊技球２３を円滑に第３排出通路８０ｃへと案内するためのコーナーリブ８０ｋが第１排出通路８０ａと同様に形成されている。
【０２１０】
第３排出通路８０ｃの終端には、遊技球２３を円滑に第４排出通路８０ｄへと案内するためのコーナーリブ８０ｍが形成されている。コーナーリブ８０ｍもコーナーリブ８０ｋと同様に、角部において上下３段に亘って形成されている。コーナーリブ８０ｍの最下段のものには、不正工具の侵入を防止するための不正対策部材を載置するための載置部８０ｎが形成されている。したがって、最下段のコーナーリブ８０ｍは、他の２段に比較して大型とされており、角部からの突出量が大きい。
【０２１１】
図８０は、前枠９の下方近傍の背面を拡大した図である。下部ユニット９４の右端部近傍には、ロック部材９７が設けられている。このロック部材９７は下部ユニット９４の右端部近傍を上下方向に移動可能とされている。ロック部材９７は、前枠９の背面側と係合する係合部（不図示）を有しており、上方へ移動すると、ロック部材９７の係合部と前枠９とが係合し、下方移動するとロック部材９７と前枠９との係合が解除されるようになっている。
【０２１２】
下部ユニット９４を前枠９の背面に対して閉鎖した状態において、ロック部材９７を上方移動するとロック部材９７と前枠９とが係合して下部ユニット９４と前枠９とが開放不可能に閉鎖維持される。ロック部材９７を下方移動するとロック部材９７と前枠９との係合が解除され、下部ユニット９４と前枠９とが開放可能な状態となる。
【０２１３】
前枠９の背面に取り付けられた保持部材８５には、規制部８５ａが設けられている。規制部８５ａは、ロック部材９７が下方移動した場合の上方位置であって、上方移動する際に干渉する位置に配置されている。規制部８５ａは弾性変形可能な壁面部材である。下部ユニット９４の閉鎖状態で、ロック部材９７がロック状態（下方移動状態）にあるとき、規制部８５ａがロック部材９７の上方移動を規制する。したがって、そのままロック部材９７を上方移動しようとしてもできないので、下部ユニット９４の不用意な開放を防止することができる。
【０２１４】
ただし、規制部８５ａを右方向へ押し込むと、規制部８５ａが弾性変形して、ロック部材９７の上方に規制部８５ａが位置しないようになる。そうすると、ロック部材９７を上方移動することができて、下部ユニット９４を容易に開放することができる。なお、規制部８５ａの下面８５ｂは左に下がり傾斜する傾斜面となっている。規制部８５ａを右方向へ押し込むことをせずに、ロック部材９７を上方移動させると、ロック部材９７と規制部８５ａとが当接する。下面８５ｂの傾斜の作用により、ロック部材９７の上方移動によって規制部８５ａは左方向へと付勢され、一層強固に両者が干渉することとなる。
【０２１５】
＜Ｉ−１．カシメ構造＞
図８１は、下部ユニット９４が保持する払出制御基板ケース１２１の分解図である。下部ユニット９４の背面側には、払出制御基板ケース１２１が保持されている。払出制御基板ケース１２１は、基板ベース１２１ａと基板カバー１２１ｂとを有しており、基板ベース１２１ａと基板カバー１２１ｂとの間の内部空間に払出制御基板１２０が配置されている。
【０２１６】
図８２（ａ）は、下部ユニット９４背面側における基板ベース１２１ａとの取付け構造を示す図である。図８２（ｂ）は基板ベース１２１ａ前面側における下部ユニット９４との取付け構造を示す図である。  図８３（ａ）は、基板ベース１２１ａ背面側における基板カバー１２１ｂとの取付け構造を示す図である。図８３（ｂ）は基板カバー１２１ｂ前面側における基板ベース１２１ａとの取付け構造を示す図である。
【０２１７】
下部ユニット９４の背面側には、３箇所の係止リブ９４ｄと１箇所の係止フック９４ｅとが形成されている。基板ベース１２１ａの前面側には、対応する位置に３箇所の係止ガイド１２１ｃと１箇所の係止突起１２１ｄとが形成されている。下部ユニット９４に対して基板ベース１２１ａを右から左方向へスライドさせることにより３箇所の係止ガイド１２１ｃを３箇所の係止リブ９４ｄに係止させると、基板ベース１２１ａは下部ユニット９４に対して左右方向のみ相対移動可能となって上下及び前後方向の相対移動が規制される。基板ベース１２１ａを下部ユニット９４に対し右から左方向へと更に移動させることにより、係止突起１２１ｄが係止フック９４ｅを乗り越えて係止され、基板ベース１２１ａと下部ユニット９４との左右方向の相対移動が更に規制される。このように、下部ユニット９４に対して基板ベース１２１ａが取り付けられる。なお、係止フック９４ｅ近傍の操作片９４ｆを押し込み操作することにより、係止フック９４ｅが弾性変形して基板ベース１２１ａを下部ユニット９４から取り外すことができるようになっている。操作片９４ｆは、基板ベース１２１ａの前方であって、下部ユニット９４とで挟まれた空間内に配置されている。
【０２１８】
基板ベース１２１ａの背面側には、上下端近傍に複数の係止ガイド１２１ｅが形成されている。また、基板ベース１２１ａの右端部近傍には、係止フック１２１ｆと２箇所のカシメ部１２１ｇとが形成されている。基板カバー１２１ｂの前面側には、係止ガイド１２１ｅの位置に対応して複数の係止部１２１ｈが形成されている。基板カバー１２１ｂの前面側には、係止フック１２１ｆの位置に対応して係止爪１２１ｊが形成され、カシメ部１２１ｇの位置に対応して２箇所のカシメ部１２１ｋが形成されている。
【０２１９】
基板ベース１２１ａに対して基板カバー１２１ｂを左から右方向へとスライドさせることにより複数の係止ガイド１２１ｅに対し複数の係止部１２１ｈを係止させると、基板カバー１２１ｂは基板ベース１２１ａに対して左右方向のみ相対移動可能となって上下及び前後方向の相対移動が規制される。基板カバー１２１ｂを基板ベース１２１ａに対して左から右方向へと更に移動させることにより、係止爪１２１ｊが係止フック１２１ｆを乗り越えて係止され、基板カバー１２１ｂと基板ベース１２１ａとの左右方向の相対移動が更に規制される。このように、基板ベース１２１ａに対して基板カバー１２１ｂが取り付けられる。なお、係止フック１２１ｆ近傍の操作片１２１ｍを押し込み操作することにより、係止フック１２１ｆ弾性変形して基板カバー１２１ｂを基板ベース１２１ａから取り外すことができるようになっている。
【０２２０】
基板ベース１２１ａの２箇所のカシメ部１２１ｇ内には、予めカシメ部材が挿入されている。基板カバー１２１ｂの取付け完了後に、２箇所のカシメ部１２１ｋ内にカシメ部材を挿入すると、カシメ部１２１ｇ内のカシメ部材とカシメ部１２１ｋ内のカシメ部材とが不可逆的に係合する。それにより、基板カバー１２１ｂは基板ベース１２１ａに対しいっさい開放不可となり、内部空間に配置された払出制御基板１２０は封印状態となる。
【０２２１】
基板ベース１２１ａと基板カバー１２１ｂとを閉鎖して基板カシメ部１２１ｇ内のカシメ部材とカシメ部１２１ｋ内のカシメ部とを係合し、払出制御基板１２０を内部空間内に封印した後は、カシメ部材、基板ベース１２１ａ又は基板カバー１２１ｂのうちの一部を破壊しない限り基板ベース１２１ａに対し基板カバー１２１ｂを開けることができない。したがって、封印状態の払出制御基板１２０を取り出した場合は、必ずカシメ部材、基板ベース１２１ａ又は基板カバー１２１ｂのいずれかに破壊の痕跡が残ることとなる。不正な基板カバー１２１ｂの開放を迅速に発見することができるようになっている。
【０２２２】
＜Ｊ−１．外部端子基板＞
図８４は、外部端子基板８６の近傍を拡大した図である。（ａ）は、配線８７の接続前の状態、（ｂ）は配線８７の接続後の状態である。外部端子基板８６は、前枠９の背面側であって上部左端部近傍に配置されている。
【０２２３】
外部端子基板８６は、島設備側からの配線８７を接続するための基板である。パチンコ機２を設置するホールには、パチンコ機２の遊技や動作の状況を集中管理するためのホールコンピュータ（不図示）が設置されている。ホールに設置される各パチンコ機２からホールコンピュータへの情報送信を可能とするために、ホールコンピュータと島設備とが配線接続され、島設備と各パチンコ機２とが外部端子基板８６を介して配線接続されている。
【０２２４】
外部端子基板８６は、右側端部を前枠９の押さえ部８６ａ内に進入させて、左側上端部において１本のネジで締結されている。外部端子基板８６は、島設備からの配線８７を１本ずつ接続するための端子８６ｂを列状に複数有している。各端子８６ｂは操作片８６ｃと配線挿通孔８６ｄとを有している。操作片８６ｃは、付勢手段（不図示）によって下方に付勢されており、上方に持ち上げると配線挿通孔８６ｄが開口するようになっている。配線挿通孔８６ｄは、島設備からの配線８７を、その芯線を露出した状態で挿通するための挿通孔であって、芯線と接触して導通する導電部８６ｅと操作片８６ｃに連動して上下動する圧接部８６ｆとを有する。操作片８６ｃを上方へ持ち上げると圧接部８６ｆが上方移動して配線挿通孔８６ｄが開口する。この状態で島設備からの配線８７を配線挿通孔８６ｄに挿通させる。そして、操作片８６ｃから手を離すと操作片８６ｃが下方に下がり、圧接部８６ｆと導電部８６ｅとで配線８７の芯線が挟持される。
【０２２５】
隣接する端子８６ｂ同士では、操作片８６ｃの初期位置（手を離した状態における位置）が上下及び前後方向（奥行き方向）にずれるように設定されている。すなわち、操作片８６ｃの初期位置が、順に上→下→上→下となるように配置されている。また、初期位置が上側位置となる操作片８６ｃは前後方向において前側位置（背面側から見た図８４においては、奥側の位置）となり、初期位置が下側位置となる操作片８６ｃは前後方向において後側位置（背面側から見た図８４においては、手前側の位置）となるように配置されている。これにより、隣接する端子８６ｂ同士の間隔が狭い場合でも、隣接する端子８６ｂの操作片８６ｃを誤操作することなく、所望の端子８６ｂの操作片８６ｃを確実に操作することができる。
【０２２６】
＜Ｊ−２．満杯検出センサ＞
図８５は、下部ユニット９４の背面側から見た外観図である。図８５においては、払出制御基板ケース１２１は取り外しており、満杯検出センサ１９０を分解して示している。図８６は、下部ユニット９４を満杯通路開口１７２ｅを通る前後面（図８５中の平面Ｐ２）において切断し、図８５中のＩＩ−ＩＩ方向に矢視した断面図である。
【０２２７】
下部ユニット９４の満杯通路１７２内には満杯検出センサ１９０が配置されている。満杯検出センサ１９０は、下球皿１４ｂに遊技球２３が満杯状態となったことを検出するためのものである。満杯検出センサ１９０により下球皿１４ｂの満杯状態が検出されると、その検出信号がパチンコ機２の制御手段へと送信される。パチンコ機２は、例えば、遊技領域内に配設された演出表示装置でのエラー表示やスピーカからの音声によるエラー報知によって、遊技者に下球皿１４ｂが満杯状態であることを報知し、球排出を促す。
【０２２８】
満杯検出センサ１９０は、例えば、揺動部材１９０ａ、センサ本体１９０ｂ、取付ブラケット１９０ｃを有して構成される。揺動部材１９０ａは揺動軸１９０ｄを中心として揺動可能に満杯通路１７２内に吊下されている。遊技球２３が非満杯状態の場合には揺動部材１９０ａが前方へ揺動し、遊技球２３が満杯状態の場合には遊技球２３に押されて揺動部材１９０ａが後方へ揺動するようになっている。
【０２２９】
センサ本体１９０ｂは、揺動部材１９０ａの後方に検出片１９０ｅを有して配置されている。揺動部材１９０ａが前方に揺動した状態ではセンサ本体１９０ｂはオフ状態である。揺動部材１９０ａが後方に揺動した状態では、検出片１９０ｅが揺動部材１９０ａに押されてセンサ本体１９０ｂがオン状態となる。このオン信号に基づきパチンコ機２は満杯エラー報知を行う。
【０２３０】
取付ブラケット１９０ｃは、揺動部材１９０ａを揺動可能に吊下する揺動軸１９０ｄ、下部ユニット９４に取り付けるための取付フック１９０ｆ、センサ本体１９０ｂを収容する収容室１９０ｇを有している。取付ブラケット１９０ｃの収容室にセンサ本体１９０ｂを収容し、揺動軸１９０ｄに揺動部材１９０ａを吊下して、満杯検出センサ１９０は１ユニット化されている。
【０２３１】
満杯検出センサ１９０は、下球皿１４ｂ内でもなく前枠９の通路出口１７２ａでもなく、満杯通路１７２における満杯通路開口１７２ｅの後方位置に配置されており、下球皿１４ｂよりもかなり後方に配置されている。満杯通路１７２は満杯通路開口１７２ｅから通路出口１７２ａにかけて下がり傾斜している。したがって、満杯検出センサ１９０は、下球皿１４ｂの遊技球貯留部よりも上方位置となる。満杯検出センサ１９０が下球皿１４ｂよりもかなり後方であってかつ上方位置に配置されているので、下球皿１４ｂが満杯状態となってもすぐには満杯エラー報知が行われない。下球皿１４ｂが満杯状態となり、更に満杯通路１７２の一部が満杯検出センサ１９０の配置位置まで遊技球２３で満杯状態となり、満杯検出センサ１９０の揺動部材１９０ａが遊技球２３で押されてようやく満杯状態の検出が行われ、満杯エラー報知がされるようになっている。満杯エラー報知までに貯留可能な遊技球２３の数が多いので、頻繁な満杯エラー報知を防止することができるようになっている。満杯エラー報知の頻度を低減することができるので、遊技者は頻繁なエラー報知に煩わされることなく、遊技に集中することができる。
【０２３２】
＜Ｊ−３．球通路の視認性＞
図８７は、裏セットＷの外観斜視図である。
【０２３３】
裏セットＷは、上部ユニット９１、上部通路ユニット９２、賞球払出ユニット９０、下部通路ユニット９３、下部ユニット９４を有している。上部ユニット９１は、球タンク５１、球タンクレール５２を有しており、球タンク５１には容量調整部材５１ａ、押さえ板５１ｍが取り付けられ、球タンクレール５２には球止め部材５３ｃが取り付けられている。上部通路ユニット９２は、内部に球入口９２ｆから球出口９２ｂまでの球通路９２ａ及び着脱レバー９２ｄを有している。賞球払出ユニット９０は、内部に上流通路９０ｆ、球抜き通路９０ｑを有している。下部通路ユニット９３は、内部に球入口９３ａから球出口（不図示）までの賞球用球通路、排出球受入口９３ｃから排出口９３ｄまでの排出球用通路を有している。下部ユニット９４は、内部に上球皿通路１４０、満杯通路１７２、後方排出通路８０を有している。
【０２３４】
これらのユニット内部での遊技球２３の状況を外部から視認容易とするために、このパチンコ機２においては、上部通路ユニット９２、賞球払出ユニット９０、下部通路ユニット９３、下部ユニット９４の各々の通路を構成する部材及び外側のカバー部材は透光性材料で形成されている。透光性材料は、例えば、アクリル樹脂やポリカーボネート樹脂等の樹脂材料であり、透明、半透明、着色透明を含む。また、上部ユニット９１においては、球タンク５１、球タンクレール５２、容量調整部材５１ａ、押さえ板５１ｍ、球止め部材５３ｃが透光性材料で形成されており、上部通路ユニット９２においては、球通路の一部として機能する着脱レバー９２ｄも透光性材料で形成されている。
【０２３５】
これらの部材が透光性材料で形成され、内部の遊技球２３の状態が外部から視認可能とされているので、例えば球詰まり等を生じた箇所を外部から容易に特定することができる。通路内での遊技球２３の有無状態も外部から容易に把握することができる。したがって、メンテナンス性が極めて高いものとなっている。
【０２３６】
＜Ｊ−４．コネクタカバー＞
図８８は、下部ユニット９４の背面側の斜視図である。
【０２３７】
下部ユニット９４は、背面側に払出制御基板ケース１２１を保持している。払出制御基板ケース１２１内には払出制御基板１２０が封印状態で収容されている。払出制御基板ケース１２１の左側に隣接するように、下部ユニット９４の背面側にはＣＲユニット基板１３０を内部に収容するＣＲユニット基板ケース１３１が保持されている。ＣＲユニット基板１３０は、パチンコ機２に隣接配置されるＣＲユニット（球貸し機）とこのパチンコ機２とを接続するための基板であり、パチンコ機２とＣＲユニットとの情報送受信を実現する。
【０２３８】
ＣＲユニット基板１３０と払出制御基板１２０とは、ハーネス１３２によって接続されている。ハーネス１３２は、両端にハーネスコネクタ１３２ａを有しており、ハーネスコネクタ１３２ａ間をケーブル１３２ｂが接続している。一方のハーネスコネクタ１３２ａが払出制御基板１２０側の基板コネクタ１２０ａに接続され、他方のハーネスコネクタ１３２ａがＣＲユニット基板１３０側の基板コネクタ１３０ａに接続される。基板コネクタ１２０ａ，１３０ａは各々基板ケース１２１，１３１の一部に形成された孔部から露出しており、外部からのハーネスコネクタ１３２ａの接続を可能にしている。
【０２３９】
ハーネス１３２の両端部では、ブーツ状のコネクタカバー１３２ｃがケーブル１３２ｂから各ハーネスコネクタ１３２ａまでを覆っている。ケーブル１３２ｂとハーネスコネクタ１３２ａとの接続部には部分的に導電部が露出しており、この導電部に不正行為が行われるとＣＲユニット（球貸し機）や賞球払出ユニット９０が誤動作する場合がある。しかしながら、このパチンコ機２においてはケーブル１３２ｂとハーネスコネクタ１３２ａとの接続部がコネクタカバー１３２ｃによって覆われているので、導電部に対する不正行為が防止され、ＣＲユニットや賞球払出ユニット９０の誤動作が防止されている。
【０２４０】
以上、本発明の好ましい実施の形態を説明したが、本発明はこれらに限定されるものではなく、その要旨の範囲内で様々な変形や変更が可能である。
【符号の説明】
【０２４１】
ガラス枠：１２
払出制御基板：１２０
基板コネクタ：１２０ａ
払出制御基板ケース：１２１
基板ベース：１２１ａ
基板カバー：１２１ｂ
係止ガイド：１２１ｃ
係止突起：１２１ｄ
係止ガイド：１２１ｅ
係止フック：１２１ｆ
カシメ部：１２１ｇ，１２１ｋ
係止部：１２１ｈ
係止爪：１２１ｊ
操作片：１２１ｍ
検出片：１２ａ
突出軸：１２ｂ
中央開口：１２ｃ
ベース板：１２ｄ
下リブ：１２ｇ
後端辺：１２ｈ
切欠き：１２ｊ
突部：１２ｋ
スリット：１２ｍ
当接部：１２ｎ
球皿：１３
ＣＲユニット基板：１３０
基板コネクタ：１３０ａ
ＣＲユニット基板ケース：１３１
ハーネス：１３２
ハーネスコネクタ：１３２ａ
ケーブル：１３２ｂ
コネクタカバー：１３２ｃ
ベース部：１３ａ
凹溝：１３ｄ
折返し部：１３ｅ
上球皿通路：１４０
後方壁面：１４０ａ
前方壁面：１４０ｂ
通路出口：１４１
案内口：１４２
合流通路：１４３
通路口：１４３ｂ
下球皿シャッター部材：１４５
上球皿シャッター部材：１４６
傾斜辺：１４６ａ
上球皿：１４ａ
下球皿：１４ｂ
周壁：１４ｃ
上貯留凹部：１４ｄ
切返し部：１４ｅ
下貯留凹部：１４ｆ
球抜きボタン：１４ｇ
球排出孔：１４ｈ
球排出レバー：１４ｊ
右案内通路部：１４ｍ
左案内通路部：１４ｎ
下流部分：１４ｐ
発射装置ハンドル：１５
突出壁：１５１
突出ピン：１５２
カバー部材：１５ａ
回転ハンドル：１５ｂ
球止めスイッチ：１５ｃ
軸部：１５ｄ
捩りバネ：１５ｅ
ストッパー：１５ｆ
オンオフスイッチ：１５ｇ
回転角度センサ：１５ｈ
回転軸：１５ｊ
把持用突起：１５ｋ
ギア部：１５ｍ，１５ｐ
軸部材：１５ｎ
軸部：１７
満杯通路：１７２
通路出口：１７２ａ
満杯通路開口：１７２ｅ
円弧状壁面：１７２ｆ
屈曲部：１８
屈曲孔：１８ａ
満杯検出センサ：１９０
揺動部材：１９０ａ
センサ本体：１９０ｂ
取付ブラケット：１９０ｃ
揺動軸：１９０ｄ
検出片：１９０ｅ
取付フック：１９０ｆ
収容室：１９０ｇ
パチンコ機（遊技機）：２
放音用孔：２１１
右演出ユニット：２２０
取付ベース板：２２１
電飾基板：２２２
基板カバー：２２３
上側ヒンジ：２２ａ
下側ヒンジ：２２ｂ
上軸部：２２ｃ
ヒンジプレート：２２ｄ
下カバー部材：２２ｅ
下軸部：２２ｆ
隆起部：２２ｊ
傾斜後部：２２ｌ
ヒンジプレート：２２ｎ
遊技球：２３
右装飾体可動ユニット：２３０
駆動モータ：２３１
揺動部材：２３２
後方揺動腕：２３２ｂ
前方揺動腕：２３２ｃ
スライド部材：２３４
遊技球（賞球）：２３ａ
遊技球（ファール球）：２３ｂ
遊技球：２３ｃ
球流入規制部材：２４
右スライドレール：２４１
左スライドレール：２４４
下側装飾カバー：２４７ａ，２４８ａ，２４９ａ
上側装飾カバー：２４７ｂ，２４８ｂ，２４９ｂ
規制壁：２４ａ
傾斜底部：２４ｂ
左演出ユニット：２５０
取付ベース板：２５１
電飾基板：２５２
基板カバー：２５３
ユニットカバー：２５９
左装飾体可動ユニット：２６０
駆動モータ：２６１
揺動部材：２６２
左方揺動腕：２６２ｂ
右方揺動腕：２６２ｃ
スライド部材：２６４
左スライドレール：２７３
右スライドレール：２７４
下側装飾カバー：２７７ａ，２７８ａ，２７９ａ
上側装飾カバー：２７７ｂ，２７８ｂ，２７９ｂ
上演出ユニット：２８０
回転装飾装置：２８１
保持筐体：２８２
駆動モータ：２８２ａ
回転装飾部材：２８３
電飾基板：２８８
外枠：４
演出ボタン：４０
決定ボタン：４０ａ
左右方向キー：４０ｂ
演出ボタン用基板：４０ｃ
振動子：４０ｄ
前枠ガイド：４１
受け面：４１ａ
上面：４１ｂ
突状ガイド：４２
テーパ面：４２ａ
下面：４２ｂ
ＣＲ操作ボタン：４３
球貸しボタン：４３ａ
返却ボタン：４３ｂ
ＣＲ操作ボタン用基板：４３ｃ
操作ボタンユニット：４４
ボタンユニットカバー部材：４４ａ
上側右電飾基板（上球皿右側前面電飾基板）：４４ｂ
上側左電飾基板（上球皿左側前面電飾基板）：４４ｃ
下側右電飾基板（下球皿右側電飾基板）：４４ｄ
下側中央電飾基板（下球皿中央側電飾基板）：４４ｅ
下側左電飾基板（下球皿左側電飾基板）：４４ｆ
コネクタケーブル：４５
ケーブル側コネクタ部材：４５ｃ
流路カバー：４６
底面部：４６ａ
立設壁：４６ｂ
下面：４６ｃ
回転軸部：４６ｄ
発射機カバー：４８ａ
発射槌：４８ｂ
開口部：４８ｃ
保持部：４８ｄ
軸支部：４８ｅ
係止部：４８ｆ
ソレノイド：４８ｇ
緩衝部材：４８ｈ
保持通路：４８ｊ
載置部：４８ｋ
回転軸：４８ｍ
打点：４８ｎ
上辺部：４ａ
左辺部：４ｂ
外側面：４ｅ
穴部：４ｆ
検出片：４ｇ
スリット：４ｈ
当接部：４ｊ
幕板ユニット：５０
球タンク：５１
容量調整部材：５１ａ
壁面部：５１ｂ
前方係止部：５１ｃ
後方係止部：５１ｄ
前方壁：５１ｅ
後方壁：５１ｆ
上向きフック部：５１ｇ
突部：５１ｈ
突出リブ：５１ｊ
縦リブ：５１ｋ
押さえ板：５１ｍ
球タンクレール：５２
前リブ：５２ａ
中リブ：５２ｂ
後リブ：５２ｃ
テーパ部：５２ｄ
ハーネスフック：５２ｅ
保持面：５２ｆ
リブ：５２ｇ
頂部：５２ｈ
上流側整列部材：５３ａ
下流側整列部材：５３ｂ
球止め部材：５３ｃ
先端テーパ部：５３ｄ
上面フック：５３ｅ
回転軸：５３ｆ
下面：５３ｇ
端部：５３ｈ
回転軸：５３ｊ
ストッパ片：５３ｋ
フック部：５３ｍ
金属板：５４
基板取付部：５５
導入凹部：５６
コネクタ挿通窓：５７
コネクタ保護部：５８
庇部：５９
幕板基板：６５
幕板側コネクタ部材：６５ｃ
取付バネ板：６６
スリット：６６ａ
当接部：６６ｂ
前方壁：６７
凹設空間：６８
補強リブ：６９
上リブ：７１
下リブ：７２
ファール球回収口：７３
ファール球回収通路：７４
中間ヒンジ：７５
ヒンジプレート：７５ａ
上方ピン：７５ｂ
フランジ部：７５ｄ
軸部：７５ｅ
下カバー部材：７５ｆ
傾斜後部：７５ｈ
遊技盤留め具：８
後方排出通路：８０
第１排出通路：８０ａ
第２排出通路：８０ｂ
第３排出通路：８０ｃ
第４排出通路：８０ｄ
後方排出口：８０ｅ
前面：８０ｆ
右面：８０ｇ
後面：８０ｈ
リブ：８０ｊ
コーナーリブ：８０ｋ，８０ｍ
載置部：８０ｎ
仕切り部：８２
突出片：８４
保持部材：８５
規制部：８５ａ
下面：８５ｂ
外部端子基板：８６
押さえ部：８６ａ
端子：８６ｂ
操作片：８６ｃ
配線挿通孔：８６ｄ
導電部：８６ｅ
圧接部：８６ｆ
配線：８７
前枠：９
賞球払出ユニット：９０
球出口：９０ａ
球入口：９０ｂ
ガイド部：９０ｃ
解除レバー：９０ｄ
規制リブ：９０ｅ
上流通路：９０ｆ
回転軸：９０ｇ
突部：９０ｈ
揺動通路：９０ｊ
支持部：９０ｋ
支点：９０ｍ
通路出口：９０ｎ
通路口：９０ｐ
球抜き通路：９０ｑ
前方空間：９０ｒ
上部ユニット：９１
上部通路ユニット：９２
球通路：９２ａ
球出口：９２ｂ
突状レール：９２ｃ
着脱レバー：９２ｄ
内面側：９２ｅ
球入口：９２ｆ
下部通路ユニット：９３
球入口：９３ａ
電波センサ：９３ｂ
排出球受入口：９３ｃ
排出口：９３ｄ
挿入孔：９３ｅ
フック：９３ｆ
下部ユニット：９４
球入口：９４ａ
支軸部：９４ｂ
右壁部：９４ｃ
係止リブ：９４ｄ
係止フック：９４ｅ
操作片：９４ｆ
モータ駆動伝達構造：９５
駆動モータ：９５ａ
駆動ギア：９５ｂ
中継ギア：９５ｃ
従動ギア：９５ｄ
スプロケット：９５ｅ
センサギア：９５ｆ
センサ孔：９５ｇ
フォトセンサ：９５ｈ
回転軸：９５ｊ
通過センサ：９５ｋ
ロック部材：９７
中央開口：９ａ
前枠上側ヒンジ：９ｂ
ガラス枠開閉センサ：９ｆ
突出片：９ｇ
前枠開閉センサ：９ｈ
突出片：９ｊ
上側ハーネス孔：９ｌ
下側ハーネス孔：９ｍ
ヒンジプレート：９ｎ
ガラス枠用孔：９ｐ
発射レール：９ｑ
係合部：９ｒ
発射ユニット：Ｃ
間隔：Ｇ
ハーネスカバー：ＨＣ
下側ハーネス：ＨＤ
上側ハーネス：ＨＵ
平面：Ｐ
裏セット：Ｗ
【図１】
2011245106.tif 000003
【図２】
2011245106.tif 000004
【図３】
2011245106.tif 000005
【図４】
2011245106.tif 000006
【図５】
2011245106.tif 000007
【図６】
2011245106.tif 000008
【図７】
2011245106.tif 000009
【図８】
2011245106.tif 000010
【図９】
2011245106.tif 000011
【図１０】
2011245106.tif 000012
【図１１】
2011245106.tif 000013
【図１２】
2011245106.tif 000014
【図１３】
2011245106.tif 000015
【図１４】
2011245106.tif 000016
【図１５】
2011245106.tif 000017
【図１６】
2011245106.tif 000018
【図１７】
2011245106.tif 000019
【図１８】
2011245106.tif 000020
【図１９】
2011245106.tif 000021
【図２０】
2011245106.tif 000022
【図２１】
2011245106.tif 000023
【図２２】
2011245106.tif 000024
【図２３】
2011245106.tif 000025
【図２４】
2011245106.tif 000026
【図２５】
2011245106.tif 000027
【図２６】
2011245106.tif 000028
【図２７】
2011245106.tif 000029
【図２８】
2011245106.tif 000030
【図２９】
2011245106.tif 000031
【図３０】
2011245106.tif 000032
【図３１】
2011245106.tif 000033
【図３２】
2011245106.tif 000034
【図３３】
2011245106.tif 000035
【図３４】
2011245106.tif 000036
【図３５】
2011245106.tif 000037
【図３６】
2011245106.tif 000038
【図３７】
2011245106.tif 000039
【図３８】
2011245106.tif 000040
【図３９】
2011245106.tif 000041
【図４０】
2011245106.tif 000042
【図４１】
2011245106.tif 000043
【図４２】
2011245106.tif 000044
【図４３】
2011245106.tif 000045
【図４４】
2011245106.tif 000046
【図４５】
2011245106.tif 000047
【図４６】
2011245106.tif 000048
【図４７】
2011245106.tif 000049
【図４８】
2011245106.tif 000050
【図４９】
2011245106.tif 000051
【図５０】
2011245106.tif 000052
【図５１】
2011245106.tif 000053
【図５２】
2011245106.tif 000054
【図５３】
2011245106.tif 000055
【図５４】
2011245106.tif 000056
【図５５】
2011245106.tif 000057
【図５６】
2011245106.tif 000058
【図５７】
2011245106.tif 000059
【図５８】
2011245106.tif 000060
【図５９】
2011245106.tif 000061
【図６０】
2011245106.tif 000062
【図６１】
2011245106.tif 000063
【図６２】
2011245106.tif 000064
【図６３】
2011245106.tif 000065
【図６４】
2011245106.tif 000066
【図６５】
2011245106.tif 000067
【図６６】
2011245106.tif 000068
【図６７】
2011245106.tif 000069
【図６８】
2011245106.tif 000070
【図６９】
2011245106.tif 000071
【図７０】
2011245106.tif 000072
【図７１】
2011245106.tif 000073
【図７２】
2011245106.tif 000074
【図７３】
2011245106.tif 000075
【図７４】
2011245106.tif 000076
【図７５】
2011245106.tif 000077
【図７６】
2011245106.tif 000078
【図７７】
2011245106.tif 000079
【図７８】
2011245106.tif 000080
【図７９】
2011245106.tif 000081
【図８０】
2011245106.tif 000082
【図８１】
2011245106.tif 000083
【図８２】
2011245106.tif 000084
【図８３】
2011245106.tif 000085
【図８４】
2011245106.tif 000086
【図８５】
2011245106.tif 000087
【図８６】
2011245106.tif 000088
【図８７】
2011245106.tif 000089
【図８８】
2011245106.tif 000090